(57)【要約】【課題】  捕球具のバランスを考慮して設計し、操作性または安定性に優れた野球またはソフトボール用捕球具、野球またはソフトボール用内野手または外野手用捕球具および、これらの設計方法を提供する。【解決手段】  使用者の親指を受け入れる親指袋２と、使用者の親指以外の指を受け入れる指袋４、５、６、７と、ウエブ部３と、使用者の手を挿入するための開口部８とを有する野球またはソフトボール用捕球具の設計方法であって、捕球する際の前記捕球具の回転中心を基準として、質量を配分することで慣性モーメントを調整する。【選択図】        図２２
2006340786.tif 000002
【特許請求の範囲】
【請求項１】
使用者の親指を受け入れる親指袋（２）と、使用者の親指以外の指を受け入れる指袋（４、５、６、７）と、ウエブ部（３）と、使用者の手を挿入するための開口部（８）とを有する野球またはソフトボール用捕球具の設計方法であって、
捕球する際の前記捕球具の回転中心を基準として、質量を配分することで慣性モーメントを調整する、野球またはソフトボール用捕球具の設計方法。
【請求項２】
前記捕球具の質量をＧとし、前記捕球具の慣性モーメントをＭとすると、
前記捕球具の質量Ｇが４５０ｇ以上７００ｇ以下の範囲において、８０≦Ｍ≦０．５４２×Ｇ−１５８．１４または２８０≧Ｍ≧０．５４２×Ｇ−１２８．１４を満たす、請求項１に記載の野球またはソフトボール用捕球具の設計方法。
【請求項３】
前記捕球具の質量をＧとし、前記捕球具の慣性モーメントをＭとすると、
前記捕球具の質量Ｇが４５０ｇ以上７００ｇ以下の範囲において、８０≦Ｍ≦０．４８８×Ｇ−１２８．８３または２８０≧Ｍ≧０．５９６×Ｇ−１５７．４５を満たす、請求項１に記載の野球またはソフトボール用捕球具の設計方法。
【請求項４】
使用者の親指を受け入れる親指袋（２）と、使用者の親指以外の指を受け入れる指袋（４、５、６、７）と、ウエブ部（３）と、使用者の手を挿入するための開口部（８）とを有する野球またはソフトボール用捕球具の質量をＧとし、前記捕球具の慣性モーメントをＭとすると、
前記質量Ｇが４５０ｇ以上７００ｇ以下の範囲において、前記質量Ｇと前記慣性モーメントＭとが、８０≦Ｍ≦０．５４２×Ｇ−１５８．１４または２８０≧Ｍ≧０．５４２×Ｇ−１２８．１４を満たす、野球またはソフトボール用捕球具。
【請求項５】
使用者の親指を受け入れる親指袋（２）と、使用者の親指以外の指を受け入れる指袋（４、５、６、７）と、ウエブ部（３）と、使用者の手を挿入するための開口部（８）とを有する野球またはソフトボール用捕球具の質量をＧとし、前記捕球具の慣性モーメントをＭとすると、
前記質量Ｇが４５０ｇ以上７００ｇ以下の範囲において、前記質量Ｇと前記慣性モーメントＭとが、８０≦Ｍ≦０．４８８×Ｇ−１２８．８３または２８０≧Ｍ≧０．５９６×Ｇ−１５７．４５を満たす、野球またはソフトボール用捕球具。
【請求項６】
使用者の親指を受け入れる親指袋（２）と、使用者の親指以外の指を受け入れる指袋（４、５、６、７）と、ウエブ部（３）と、使用者の手を挿入するための開口部（８）とを有する野球またはソフトボール用内野手用捕球具の設計方法であって、
前記内野手用捕球具の質量をＧとし、前記内野手用捕球具の慣性モーメントをＭとしたときに、前記質量Ｇが４５０ｇ以上６００ｇ以下の範囲において、
前記質量Ｇと前記慣性モーメントＭとが、８０≦Ｍ≦０．４４７×Ｇ−１０８．４７または、２８０≧Ｍ≧０．４４７×Ｇ−７８．４７を満たすように、
前記内野手用捕球具の質量配分を設定する、野球またはソフトボール用内野手用捕球具の設計方法。
【請求項７】
使用者の親指を受け入れる親指袋（２）と、使用者の親指以外の指を受け入れる指袋（４、５、６、７）と、ウエブ部（３）と、使用者の手を挿入するための開口部（８）とを有する野球またはソフトボール用内野手用捕球具の設計方法であって、
前記内野手用捕球具の質量をＧとし、前記内野手用捕球具の慣性モーメントをＭとしたときに、前記質量Ｇが４５０ｇ以上６００ｇ以下の範囲において、
前記質量Ｇと前記慣性モーメントＭとが、８０≦Ｍ≦０．４０２×Ｇ−８４．１２または、２８０≧Ｍ≧０．４９２×Ｇ−１０２．８１を満たすように、
前記内野手用捕球具の質量配分を設定する、野球またはソフトボール用内野手用捕球具の設計方法。
【請求項８】
使用者の親指を受け入れる親指袋（２）と、使用者の親指以外の指を受け入れる指袋（４、５、６、７）と、ウエブ部（３）と、使用者の手を挿入するための開口部（８）とを有する野球またはソフトボール用内野手用捕球具の質量をＧとし、前記内野手用捕球具の慣性モーメントをＭとすると、
前記質量Ｇが４５０ｇ以上６００ｇ以下の範囲において、前記質量Ｇと前記慣性モーメントＭとが、８０≦Ｍ≦０．４４７×Ｇ−１０８．４７または、２８０≧Ｍ≧０．４４７×Ｇ−７８．４７を満たす、野球またはソフトボール用内野手用捕球具。
【請求項９】
使用者の親指を受け入れる親指袋（２）と、使用者の親指以外の指を受け入れる指袋（４、５、６、７）と、ウエブ部（３）と、使用者の手を挿入するための開口部（８）とを有する野球またはソフトボール用内野手用捕球具の質量をＧとし、前記内野手用捕球具の慣性モーメントをＭとすると、
前記質量Ｇが４５０ｇ以上６００ｇ以下の範囲において、前記質量Ｇと前記慣性モーメントＭとが、８０≦Ｍ≦０．４０２×Ｇ−８４．１２または、２８０≧Ｍ≧０．４９２×Ｇ−１０２．８１を満たす、野球またはソフトボール用内野手用捕球具。
【請求項１０】
使用者の親指を受け入れる親指袋（２）と、使用者の親指以外の指を受け入れる指袋（４、５、６、７）と、ウエブ部（３）と、使用者の手を挿入するための開口部（８）とを有する野球またはソフトボール用外野手用捕球具の設計方法であって、
前記外野手用捕球具の質量をＧとし、前記外野手用捕球具の慣性モーメントをＭとしたときに、前記質量Ｇが５５０ｇ以上７００ｇ以下の範囲において、
前記質量Ｇと前記慣性モーメントＭとが、８０≦Ｍ≦０．３８９×Ｇ−５８．８６または、２８０≧Ｍ≧０．３８９×Ｇ−２８．８６を満たすように、
前記内野手用捕球具の前記親指袋（２）側、ウエブ部（３）側、または前記指袋（４、５、６、７）側から前記開口部（８）側に亘る質量配分を設定する、野球またはソフトボール用外野手用捕球具の設計方法。
【請求項１１】
使用者の親指を受け入れる親指袋（２）と、使用者の親指以外の指を受け入れる指袋（４、５、６、７）と、ウエブ部（３）と、使用者の手を挿入するための開口部（８）とを有する野球またはソフトボール用外野手用捕球具の設計方法であって、
前記外野手用捕球具の質量をＧとし、前記外野手用捕球具の慣性モーメントをＭとしたときに、前記質量Ｇが５５０ｇ以上７００ｇ以下の範囲において、
前記質量Ｇと前記慣性モーメントＭとが、８０≦Ｍ≦０．３５０×Ｇ−３９．４８または、２８０≧Ｍ≧０．４２８×Ｇ−４８．２５を満たすように、
前記内野手用捕球具の前記親指袋（２）側、ウエブ部（３）側、または前記指袋（４、５、６、７）側から前記開口部（８）側に亘る質量配分を設定する、野球またはソフトボール用外野手用捕球具の設計方法。
【請求項１２】
使用者の親指を受け入れる親指袋（２）と、使用者の親指以外の指を受け入れる指袋（４、５、６、７）と、ウエブ部（３）と、使用者の手を挿入するための開口部（８）とを有する野球またはソフトボール用外野手用捕球具の質量をＧとし、前記外野手用捕球具の慣性モーメントをＭとすると、
前記質量Ｇが５５０ｇ以上７００ｇ以下の範囲において、前記質量Ｇと前記慣性モーメントＭとが、８０≦Ｍ≦０．３８９×Ｇ−５８．８６または、２８０≧Ｍ≧０．３８９×Ｇ−２８．８６を満たす、野球またはソフトボール用外野手用捕球具。
【請求項１３】
使用者の親指を受け入れる親指袋（２）と、使用者の親指以外の指を受け入れる指袋（４、５、６、７）と、ウエブ部（３）と、使用者の手を挿入するための開口部（８）とを有する野球またはソフトボール用外野手用捕球具の質量をＧとし、前記外野手用捕球具の慣性モーメントをＭとすると、
前記質量Ｇが５５０ｇ以上７００ｇ以下の範囲において、前記質量Ｇと前記慣性モーメントＭとが、８０≦Ｍ≦０．３５０×Ｇ−３９．４８または、２８０≧Ｍ≧０．４２８×Ｇ−４８．２５を満たす、野球またはソフトボール用外野手用捕球具。
【発明の詳細な説明】
【技術分野】
【０００１】
本発明は、野球またはソフトボール用捕球具、野球またはソフトボール用内野手および外野手用捕球具およびこれらの設計方法に関する。
【背景技術】
【０００２】
従来から、確実にボールを捕捉し、取り損ないを可及的に少なくして、捕球性能の向上が図られた野球またはソフトボール用捕球具が各種提供されている。例えば、特許第３２３６５７５号公報に記載された捕球具は、親指挿入部の捕球面及び背面側にそれぞれ補強板を内装されている。このように構成された捕球具は、親指挿入部の背面側に入れた補強板が、捕球面側の補強板の後ろ支えとなるため、親指挿入部の捕球面にボールを受けたとき、親指挿入部が背面側に反り返ることを抑制でき、捕球性能の向上が図られている。
【０００３】
また、特許第３１６４７７２号公報に記載された野球またはソフトボール用捕球具は、親指部から土手部を通り小指部に至るまで衝撃吸収部材を内蔵した突出部を備えている。このような野球またはソフトボール用捕球具においては、突出部が存在するため、この部分に当たったボールは捕球具の中心方向に跳ね返ることになって落球する恐れが少なくなると共に、ボールが当たった時の衝撃を和げることができる。さらに、捕球したボールは、突出部よりも奥に入り込み、ボールが出ようとする時は突出部に引っかかることになるから、捕球具からボールがこぼれ落ちることもなくなるものである。
【特許文献１】特許第３２３６５７５号公報
【特許文献１】特許第３１６４７７２号公報
【発明の開示】
【発明が解決しようとする課題】
【０００４】
しかし、上記従来の野球またはソフトボール用捕球具においては、補強板または突出部の存在により、捕球具全体のバランスが悪くなり、却って操作性および安定性が損なわれるという問題があった。使用者にとって、同じ質量の捕球具であっても、バランスの悪い捕球具は、バランスのとれた捕球具よりも重たく感じるものであり、操作性または安定性が悪く、捕球し難いものとなっている。そして、捕球具のバランスを考慮して捕球具を設計して、捕球具の操作性および安定性を向上させるという思想自体が、従来の捕球具の設計思想にはなく、バランス性に欠けた捕球具が市場に出回っているのが現状である。本発明の目的は、上記のように新たな着想に基づくものであり、捕球具のバランスを考慮して設計し、操作性または安定性に優れた野球またはソフトボール用捕球具、野球またはソフトボール用内野手または外野手用捕球具および、これらの設計方法を提供することである。
【課題を解決するための手段】
【０００５】
本発明に係る野球またはソフトボール用捕球具の設計方法は、１つの局面では、使用者の親指を受け入れる親指袋と、使用者の親指以外の指を受け入れる指袋と、ウエブ部と、使用者の手を挿入するための開口部とを有する野球またはソフトボール用捕球具の設計方法であって、捕球する際の捕球具の回転中心を基準として、質量を配分することで慣性モーメントを調整する。
【０００６】
好ましくは、捕球具の質量をＧとし、捕球具の慣性モーメントをＭとすると、捕球具の質量Ｇが４５０ｇ以上７００ｇ以下の範囲において、８０≦Ｍ≦０．５４２×Ｇ−１５８．１４または２８０≧Ｍ≧０．５４２×Ｇ−１２８．１４を満たす。
【０００７】
好ましくは、捕球具の質量をＧとし、捕球具の慣性モーメントをＭとすると、捕球具の質量Ｇが４５０ｇ以上７００ｇ以下の範囲において、８０≦Ｍ≦０．４８８×Ｇ−１２８．８３または２８０≧Ｍ≧０．５９６×Ｇ−１５７．４５を満たす。
【０００８】
本発明に係る野球またはソフトボール用捕球具は、１つの局面では、使用者の親指を受け入れる親指袋と、使用者の親指以外の指を受け入れる指袋と、ウエブ部と、使用者の手を挿入するための開口部とを有する野球またはソフトボール用捕球具の質量をＧとし、捕球具の慣性モーメントをＭとすると、質量Ｇが４５０ｇ以上７００ｇ以下の範囲において、質量Ｇと慣性モーメントとが、８０≦Ｍ≦０．５４２×Ｇ−１５８．１４または２８０≧Ｍ≧０．５４２×Ｇ−１２８．１４を満たす。
【０００９】
本発明に係る野球またはソフトボール用捕球具は、他の局面では、使用者の親指を受け入れる親指袋と、使用者の親指以外の指を受け入れる指袋と、ウエブ部と、使用者の手を挿入するための開口部とを有する野球またはソフトボール用捕球具の質量をＧとし、捕球具の慣性モーメントをＭとすると、質量Ｇが４５０ｇ以上７００ｇ以下の範囲において、質量Ｇと慣性モーメントとが、８０≦Ｍ≦０．４８８×Ｇ−１２８．８３または２８０≧Ｍ≧０．５９６×Ｇ−１５７．４５を満たす。
【００１０】
本発明に係る野球またはソフトボール用内野手用捕球具の設計方法は、１つの局面では、使用者の親指を受け入れる親指袋と、使用者の親指以外の指を受け入れる指袋と、ウエブ部と、使用者の手を挿入するための開口部とを有する野球またはソフトボール用内野手用捕球具の設計方法であって、内野手用捕球具の質量をＧとし、内野手用捕球具の慣性モーメントをＭとしたときに、質量Ｇが４５０ｇ以上６００ｇ以下の範囲において、質量Ｇと慣性モーメントとが、８０≦Ｍ≦０．４４７×Ｇ−１０８．４７または、２８０≧Ｍ≧０．４４７×Ｇ−７８．４７を満たすように、内野手用捕球具の質量配分を設定する。
【００１１】
本発明に係る野球またはソフトボール用内野手用捕球具の設計方法は、他の局面では、使用者の親指を受け入れる親指袋と、使用者の親指以外の指を受け入れる指袋と、ウエブ部と、使用者の手を挿入するための開口部とを有する野球またはソフトボール用内野手用捕球具の設計方法であって、内野手用捕球具の質量をＧとし、内野手用捕球具の慣性モーメントをＭとしたときに、質量Ｇが４５０ｇ以上６００ｇ以下の範囲において、質量Ｇと慣性モーメントとが、８０≦Ｍ≦０．４０２×Ｇ−８４．１２または、２８０≧Ｍ≧０．４９２×Ｇ−１０２．８１を満たすように内野手用捕球具の質量配分を設定する。
【００１２】
本発明に係る野球またはソフトボール用内野手用捕球具は、１つの局面では、使用者の親指を受け入れる親指袋と、使用者の親指以外の指を受け入れる指袋と、ウエブ部と、使用者の手を挿入するための開口部とを有する野球またはソフトボール用内野手用捕球具の質量をＧとし、内野手用捕球具の慣性モーメントをＭとすると、質量Ｇが４５０ｇ以上６００ｇ以下の範囲において、質量Ｇと慣性モーメントとが、８０≦Ｍ≦０．４４７×Ｇ−１０８．４７または、２８０≧Ｍ≧０．４４７×Ｇ−７８．４７を満たす。
【００１３】
本発明に係る野球またはソフトボール用内野手用捕球具は、他の局面では、使用者の親指を受け入れる親指袋と、使用者の親指以外の指を受け入れる指袋と、ウエブ部と、使用者の手を挿入するための開口部とを有する野球またはソフトボール用内野手用捕球具の質量をＧとし、内野手用捕球具の慣性モーメントをＭとすると、質量Ｇが４５０ｇ以上６００ｇ以下の範囲において、質量Ｇと慣性モーメントとが、８０≦Ｍ≦０．４０２×Ｇ−８４．１２または、２８０≧Ｍ≧０．４９２×Ｇ−１０２．８１を満たす。
【００１４】
本発明に係る野球またはソフトボール用外野手用捕球具の設計方法は、１つの局面では、使用者の親指を受け入れる親指袋と、使用者の親指以外の指を受け入れる指袋と、ウエブ部と、使用者の手を挿入するための開口部とを有する野球またはソフトボール用外野手用捕球具の設計方法であって、外野手用捕球具の質量をＧとし、外野手用捕球具の慣性モーメントをＭとしたときに、質量Ｇが５５０ｇ以上７００ｇ以下の範囲において、質量Ｇと慣性モーメントとが、８０≦Ｍ≦０．３８９×Ｇ−５８．８６または、２８０≧Ｍ≧０．３８９×Ｇ−２８．８６を満たすように、内野手用捕球具の親指袋側、ウエブ部側、または指袋側から開口部側に亘る質量配分を設定する。
【００１５】
本発明に係る野球またはソフトボール用外野手用捕球具の設計方法は、他の局面では、使用者の親指を受け入れる親指袋と、使用者の親指以外の指を受け入れる指袋と、ウエブ部と、使用者の手を挿入するための開口部とを有する野球またはソフトボール用外野手用捕球具の設計方法であって、外野手用捕球具の質量をＧとし、外野手用捕球具の慣性モーメントをＭとしたときに、質量Ｇが５５０ｇ以上７００ｇ以下の範囲において、質量Ｇと慣性モーメントとが、８０≦Ｍ≦０．３５０×Ｇ−３９．４８または、２８０≧Ｍ≧０．４２８×Ｇ−４８．２５を満たすように、内野手用捕球具の親指袋側、ウエブ部側、または指袋側から開口部側に亘る質量配分を設定する。
【００１６】
本発明に係る野球またはソフトボール用外野手用捕球具は、１つの局面では、使用者の親指を受け入れる親指袋と、使用者の親指以外の指を受け入れる指袋と、ウエブ部と、使用者の手を挿入するための開口部とを有する野球またはソフトボール用外野手用捕球具の質量をＧとし、外野手用捕球具の慣性モーメントをＭとすると、質量Ｇが４５０ｇ以上７００ｇ以下の範囲において、質量Ｇと慣性モーメントとが、８０≦Ｍ≦０．３８９×Ｇ−５８．８６または、２８０≧Ｍ≧０．８３９×Ｇ−２８．８６を満たす。
【００１７】
本発明に係る野球またはソフトボール用外野手用捕球具は、他の局面では、使用者の親指を受け入れる親指袋と、使用者の親指以外の指を受け入れる指袋と、ウエブ部と、使用者の手を挿入するための開口部とを有する野球またはソフトボール用外野手用捕球具の質量をＧとし、外野手用捕球具の慣性モーメントをＭとすると、質量Ｇが４５０ｇ以上７００ｇ以下の範囲において、質量Ｇと慣性モーメントとが、８０≦Ｍ≦０．３５０×Ｇ−３９．４８または、２８０≧Ｍ≧０．４２８×Ｇ−４８．２５を満たす。
【発明の効果】
【００１８】
本発明に係る野球またはソフトボール用捕球具、野球またはソフトボール用内野手および外野手用捕球具およびこれらの設計方法によれば、バランスのとれ、操作性または安定性に優れ、捕球性能に優れた捕球具を得ることができる。
【発明を実施するための最良の形態】
【００１９】
図１から図４０を用いて、本発明に係る実施の形態について説明する。
（実施の形態１）
図１は、捕球具の慣性モーメントＭと、捕球具の質量Ｇとにより、操作性に優れた野球用の捕球具および安定性に優れた捕球具の範囲を示したグラフである。この図１に示されたグラフは、縦軸に慣性モーメントＭ（ｇ・ｓ２・ｃｍ）がとられ、横軸に質量Ｇ（ｇ）がとられている。
【００２０】
この図１に示されたグラフにおいて、領域Ｒ１は、操作性に優れた捕球具の範囲を示すものであり、領域Ｒ２は、質量Ｇの割に安定性に優れた捕球具の範囲を示すものである。領域Ｒ１は、基準線Ｌ３（Ｍ＝０．５４２×Ｇ−１５８．１４）と、モーメント基準線Ｌ４（Ｍ＝８０（ｇ・ｓ２・ｃｍ））と、質量基準線Ｌ６（Ｇ＝７００（ｇ））と、質量基準線Ｌ７（Ｇ＝４５０（ｇ））とにより囲まれる領域であり、８０≦Ｍ≦０．５４２×Ｇ−１５８．１４（但し、４５０ｇ≦Ｇ≦７００ｇ）と示される。そして、領域Ｒ２は、基準線Ｌ２（Ｍ＝０．５４２×Ｇ−１２８．１４）と、モーメント基準線Ｌ５（Ｍ＝２８０（ｇ・ｓ２・ｃｍ））と、質量基準線Ｌ６（Ｇ＝７００（ｇ））と、質量基準線Ｌ７（Ｇ＝４５０（ｇ））とにより囲まれる領域であり、２８０≧Ｍ≧０．５４２×Ｇ−１２８．１４（但し、４５０ｇ≦Ｇ≦７００ｇ）と示される。
【００２１】
ここで、質量Ｇが同じ捕球具であっても、慣性モーメントＭの小さい捕球具は、慣性モーメントＭの大きな捕球具より、小さい力で捕球動作をとることができ、操作性に優れているといえる。また、慣性モーメントＭの大きな捕球具は、外部から力が加わったとしても、捕球姿勢を維持し易いものであり、安定性に優れているといえる。すなわち、操作性に優れた捕球具とは、慣性モーメントＭの小さな捕球具ということができ、安定性に優れた捕球具とは、慣性モーメントＭの大きな捕球具ということができる。そこで、本実施の形態１においては、捕球具の操作性および安定性を評価するのに、捕球具の慣性モーメントＭを採用することとしている。
【００２２】
この図１に示されるようなグラフに基づいて、作成する捕球具の慣性モーメントＭと、質量Ｇとの関係が領域Ｒ１または領域Ｒ２の範囲内に入るように、捕球具の質量配分を調整することにより、操作性に優れた捕球具または安定性に優れた捕球具を容易に設計することができる。
【００２３】
このように、捕球具の設計方針を提供する図１に示されたグラフを作成するには、まず、基準線Ｌ１を設定する。そして、設定された基準線Ｌ１を基に、基準線Ｌ２および基準線Ｌ３を設定する。しかる後に、質量基準線Ｌ６および質量基準線Ｌ７と、慣性モーメント基準線Ｌ４および慣性モーメント基準線Ｌ５とを設定し、領域Ｒ１および領域Ｒ２を規定する。
【００２４】
基準線Ｌ１を設定するには、まず、複数の捕球具について、慣性モーメントＭと質量Ｇとの関係を測定する。各捕球具の慣性モーメントＭを測定する際には、各捕球具の姿勢を所定の状態に統一して、測定器に装着する。図２は、捕球具の慣性モーメントＭを測定する測定器３０の斜視図である。図２に示されるように、測定器３０は、測定装置本体２４と、この測定装置本体２４の上面に設けられ、鉛直方向に延びる回転軸２１とを備えている。この回転軸２１は、回転軸線Ｏを中心に回転可能に設けられている。この回転軸２１の上端部側には、捕球具１が装着されたクラブホルダが装着される台座２７と、回転軸２１の下端部側に設けられ、水平方向に延びるバー２２とを備えている。このバー２２は、アルミ製の中空筒状に形成されている。そして、このバー２２は、断面形状が一辺の長さが４０ｍｍの正方形形状とされており、長手方向の長さが、３００ｍｍとされている。
【００２５】
バー２２の両端部側には、バランス調整用の重り２３が設けられている。このバランス調整用重りの１つあたりの質量は、５０ｇとされている。このような測定器３０としては、例えば、「（株）神戸製作所」製の「ＢＡＬＡＮＣＥ  ＴＥＳＴＥＲ」等に、さらに、バー２２と、バランス調整用重り２３を設けたものとなっている。
【００２６】
このように構成された測定器３０を用いて、捕球具１の慣性モーメントＭを測定するには、まず、図示されないグラブホルダを台座２７に装着した状態で、慣性モーメントＭが０となるように、バランス調整用の重り２３の位置を調整し、原点補正を行なう。そして、所定の姿勢とされた捕球具１をグラブホルダに装着して慣性モーメントＭを測定する。
【００２７】
図３は、捕球具が装着されるグラブホルダ２０を示す斜視図である。この図３に示されるように、グラブホルダ２０は、台２５と、この台２５の上面上に形成され、捕球具内に挿入されるホルダ部２６とを備えている。ホルダ部２６は、台２５の上面に固定され底面２６ｃと、台２５の上面から上方に向かうに従って、台２５の中央部から台２５の外周縁部に向けて傾斜する傾斜面２６ｄと、傾斜面２６ｄに連設された周面２６ａとを備えている。図４は、グラブホルダ２０の正面図である。この図４に示されるように、ホルダ部２６は、傾斜面２６ｄ側から正面視すると、略台形とされている。そして、正面視した際において、ホルダ部２６の上面２６ｂの幅ａ１は、６０ｍｍとされており、底面２６ｃの幅ａ２は、８８ｍｍとされている。そして、台２５の径ａ３は、１００ｍｍとされ、グラブホルダ２０の高さａ４は、１１０ｍｍ程度とされている。
【００２８】
そして、図５は、グラブホルダ２０の側面図である。この図５に示されるように、台２５の厚さａ５は、８ｍｍとされている。そして、傾斜面２６ｄの長さａ６は、１４０ｍｍとされ、底面２６ｃの奥行き方向の幅ａ７は、６５ｍｍとされている。さらに、周面２６ａのうち、傾斜面２６ｄに対して対向配置された背面２６ｅと、傾斜面２６ｄとの交差角度θ２は、２５°とされており、また、傾斜面２６ｄと底面２６ｃとの交差角度θ１は、１２５°とされている。なお、グラブホルダ２０は、例えば、凡用プラスチック、エンプラにより構成されている。
【００２９】
図６は、測定される従来の捕球具１の一例を示す斜視図である。なお、本実施の形態１においては、図６に示されるような捕球具１を用いて、捕球具の慣性モーメントＭと質量Ｇとの測定の説明がなされているが、図６に示されるような、グラブに限られず、各種野球またはソフトボール用捕球具について測定する。
【００３０】
図６において、捕球具１は、背面革９と受球面革１０からなる表革１６を備える。背面革９はそれぞれ５本の指袋を形成するように複数の皮革から成るパーツを縫製して作製され、受球面革１０は５本の略指型形状を有する。そして、捕球具１は、背面革９と受球面革１０とから形成され、使用者の親指を受け入れる親指袋２と、ウエブ部３と、使用者の親指以外の指を受け入れる指袋１１と、土手部１７と、使用者の手首が挿入される開口部８を備えている。指袋１１は、使用者の人差指を受け入れる人差指袋４と、使用者の中指を受け入れる中指袋５と、使用者の薬指を受け入れる薬指袋６と、使用者の小指を受け入れる小指袋７とを備える。親指袋２と、人差指袋４との間には、ウエブ部３が設けられている。また、捕球具１の中央部には、野球の硬式ボール、軟式ボールおよびソフトボール（以下、単に「ボール」としたときには、軟式ボール、硬式ボール、およびソフトボールのいずれも含むものとする。）を受け止めるポケット部９０が設けられている。そして、捕球具１は、親指袋２の側面であって、外方に露出した側面８１と、開口部８の縁部のうち、土手部１７に沿う縁部と、小指袋７の側面のうち、外方に露出した側面８２とを含むエッジ部８０を備えている。
【００３１】
図７は、捕球具１の背面図である。この図７に示されるように、捕球具１の背面側であって、開口部８の近傍には、ベロ部８３が形成されており、このベロ部８３より指袋１１側には、手口窓部８４が形成されている。
【００３２】
このような捕球具１の慣性モーメントＭを測定する際には、まず、図６において、捕球具１の人差指袋４の先端部から土手部１７の開口部８側の端部までの距離を測定する。距離を測定する際には、ナイロンメジャー等を用いて、受球面革１０の表面に沿って測定する。すなわち、投影長さではなく、実測長さを測定する。
【００３３】
そして、捕球具１に図３に示されるグラブホルダ２０を挿入する。図８は、捕球具１にグラブホルダ２０を挿入した際の側面図である。この図８に示されるように、捕球具１の開口部８からグラブホルダ２０のホルダ部２６を挿入する。グラブホルダ２０が上記のように構成されているので、ホルダ部２６が挿入された捕球具１は、ボールに対して正対させた状態と同じような姿勢をとる。特に、図３に示すように、ホルダ部２６は、傾斜面２６ｄを備えているため、捕球具１をグラブホルダ２０に挿入すると、捕球具１は、実際の捕球時に略近似した姿勢となる。このように、捕球具１がグラブホルダ２０に装着されることにより、受球面革１０の下端点８ａが台２０の近傍に位置する。そして、さらに、グラブホルダ２０が挿入された捕球具１の開口姿勢を所定の姿勢に設定する。
【００３４】
図９は、開口姿勢が所定の姿勢とされた捕球具を示す斜視図である。図９において、グラブホルダ２０に装着された捕球具１の姿勢を所定のものにするには、まず、捕球具１の正面にスケール板４０を配置する。このスケール板４０には、縦横方向に５０ｍｍ刻みの格子状のスケールが引かれている。
【００３５】
このスケール板４０を用いて、下端点１０ｂから鉛直方向へ１００ｍｍの位置であって、親指袋２に設定された測定位置２ａ２と、小指袋に設定された測定位置７ａ２との開口距離Ｗ１００を測定する。なお、下端点１０ｂは、受球面革１０の最下端点である。
【００３６】
ここで、測定位置２ａ２は、親指袋２を構成する受球面革１０のうち、外方に露出した側面８１側の端部に位置しており、下端点１０ｂから鉛直方向に１００ｍｍの位置に設定されている。また、測定位置７ａ２は、小指袋７を構成する受球面革１０のうち、外方に露出した側面８２側の端部に位置しており、下端点１０ｂから鉛直方向に１００ｍｍの位置に設定されている。
【００３７】
同様に、下端部１０ｂから１５０ｍｍの位置であって、親指袋２に設定された測定位置２ａ１と、下端部１０ｂから１５０ｍｍの位置であって、小指袋７に設定された測定位置７ａ１との開口距離Ｗ１５０を測定する。
【００３８】
ここで、測定位置２ａ１は、親指袋２を構成する受球面革１０のうち、外方に露出した側面８１側の端部に位置しており、下端点１０ｂから鉛直方向に１５０ｍｍの位置に設定されている。また、測定位置７ａ１は、小指袋７を構成する受球面革１０のうち、外方に露出した側面８２側の端部に位置しており、下端点１０ｂから鉛直方向に１５０ｍｍの位置に設定されている。なお、開口距離Ｗ１００、Ｗ１５０の測定には、スケール板４０を用いる。
【００３９】
そして、開口距離Ｗ１５０と、開口距離Ｗ１００との比Ｒ（＝開口距離Ｗ１５０／開口距離Ｗ１００）が、１．１０＜Ｒ＜１．５０となるように、捕球具１の姿勢を設定する。
【００４０】
このように、測定する捕球具１の姿勢を統一することにより、姿勢による慣性モーメントＭの変動を抑制することができる。すなわち、慣性モーメントＭは、測定する捕球具１の姿勢によって大きく変動するため、測定された各捕球具１の慣性モーメントＭを１つのデータとして取り扱うためには、各捕球具１の姿勢を統一する必要があるためである。また、上記のように捕球具１の姿勢を設定することにより、使用者が実際に捕球する際に捕球具に生じる慣性モーメントＭに近似する慣性モーメントＭを測定することができる。
【００４１】
図１０は、使用者が捕球具を装着した状態で、捕球動作を行なう際の側面図である。この図１０に示されるように、使用者は、ボールを捕球する際には、図１１に示す橈骨７０の手首側端部を中心に捕球具１を回動させる。すなわち、図１０において、捕球の際には、捕球具１は、使用者の橈骨の手首側端部を通る回転軸線Ｏ１を中心に回転する。そして、使用者の手首の回転軸線Ｏ１と、捕球具１のうち、回転軸線Ｏ１に最も近接する点１ａとの距離ｎは、２０ｍｍ程度である。そこで、捕球具１の慣性モーメントＭを測定する際においても、図２に示された回転軸線Ｏと、捕球具１のうち、回転軸線Ｏに最も近接する位置の距離も２０ｍｍに設定する。このように、捕球具１を回転軸２１に装着することにより、捕球の際に捕球具１に生じる慣性モーメントＭに近似する慣性モーメントＭを測定することができる。
【００４２】
図１２は、所定の姿勢とされた捕球具が装着されたグラブホルダ２０を、測定器３０に装着したときの上面図である。この図１２に示されるように、グラブホルダ２０の台２５が台座２７に装着される。ここで、台座２７の厚さａ１１は、１２ｍｍとされている。そこで、捕球具１のうち、回転軸線Ｏに最も近接する近接点１ｂと、回転軸線Ｏとの距離ａ１０を２０ｍｍとするには、捕球具１のうち、最も回転軸線Ｏに近接する近接点１ｂを台２５の表面上に接触させる。このように、捕球具１を測定器３０に装着することにより、実際の捕球動作により生じる慣性モーメントＭに近似する慣性モーメントＭを測定することができる。なお、慣性モーメントＭの測定は、３回測定し、その測定された慣性モーメントＭの平均値を用いる。
【００４３】
下記表１は、上述した測定方法により、投手用捕球具、２塁手用捕球具、３塁手用捕球具、遊撃手用捕球具、外野手用捕球具について、それぞれ慣性モーメントＭの測定を行い、その結果を示した表である。
【００４４】
【表１】
2006340786.tif 000003
【００４５】
なお、上記表１において、ポジションの「Ｐ」とは、投手用捕球具であり、「２Ｂ」とは、２塁手用の捕球具であり、「３Ｂ」とは、３塁手用の捕球具であり、「ＳＳ」とは、遊撃手用の捕球具であり、「Ｏ」とは、外野手用の捕球具である。
【００４６】
そして、図１に示すように、縦軸に慣性モーメントＭ、横軸に質量Ｇがとられたグラフにそれぞれの測定結果をプロットする。そして、測定結果から、Ｍ＝０．５４２×Ｇ−１４３．１４という、慣性モーメントＭと質量Ｇとの近似式を算出する。そして、この算出された近似式を図１に示されたグラフ中に記載することにより、基準線Ｌ１が設定される。
【００４７】
このようにして設定された基準線Ｌ１を用いて、基準線Ｌ２および基準線Ｌ３を設定するには、まず、慣性モーメントＭの変動に対する官能試験を行なう。そして、実際の使用者が、感知することができる慣性モーメントＭの変動量ΔＭを検出する。しかる後に、図１において、基準線Ｌ１に対して±ΔＭだけずらしたものを基準線Ｌ２、基準線Ｌ３とする。
【００４８】
そこで、まず、質量Ｇの変動に伴う慣性モーメントＭの変動させた場合に、使用者が慣性モーメントＭの変動を感知できる範囲と、質量Ｇを変動させることなく、慣性モーメントＭを変動させた場合に、使用者が慣性モーメントＭの変動を感知できる範囲とについて、官能試験を行なう。
【００４９】
下記表２は、一般的な内野手用捕球具の人差指袋の先端部に貼る重りの質量を、１０ｇずつ変動させ、質量Ｇの変動に伴う慣性モーメントＭの変動を感知することができるかについて、官能試験を行なった結果を示すものである。
【００５０】
【表２】
2006340786.tif 000004
【００５１】
上記表２に示されるように、１０ｇ〜２０ｇの質量Ｇの変動では、慣性モーメントＭの変動を感知することができた被験者は、殆んどおらず、３０ｇの質量Ｇの変動では、被験者の半数の者が慣性モーメントＭの変動を感知することができたことが分かる。そして、４０ｇ以上の質量Ｇの変動では、殆どの被験者が慣性モーメントＭの変動を感知することができたことが分かる。この結果、使用者は、３０ｇ以上の質量Ｇを変動させることによる慣性モーメントＭの変動を感知することができるがことが分かった。そして、質量Ｇを３０ｇ変動させた際における慣性モーメントＭの変動量は、２３（ｇ・ｓ２・ｃｍ）である。
【００５２】
下記表３は、一般的な内野手用捕球具に、貼る重りの質量を５０ｇに固定し、この重りを貼る位置を変動させて慣性モーメントＭを変動させた際に、使用者が慣性モーメントＭの変動を感知することができたかについて、官能試験を行なった結果を示すものである。
【００５３】
【表３】
2006340786.tif 000005
【００５４】
上記表３に示されるように、５０ｇの重りを図７に示すベロ部８３に配置したときを基準とする。このベロ部８３より指袋側の手口窓部８４に重りが配置された場合には、慣性モーメントＭの変動を感知した被験者は少ないことが分かる。この手口窓部８４より指袋側のウエブ部３または指袋１１の先端部に重りを配置した際には、被験者の全員が慣性モーメントＭの変動を感知していることが分かる。すなわち、慣性モーメントＭの変動量が２０（ｇ・ｓ２・ｃｍ）以上の場合には、被験者は慣性モーメントＭの変動を感知することができることが分かる。特に、慣性モーメントＭの変動量が３３（ｇ・ｓ２・ｃｍ）となると、被験者は、確実に慣性モーメントＭの変動を感知することが分かる。
【００５５】
下記表４は、一般的な内野手用捕球具に、貼る重りの質量を２５ｇに固定し、この重りを貼る位置を変化させて慣性モーメントＭを変動させた際に、使用者が慣性モーメントＭの変動を感知することができたかについて、官能試験を行なった結果を示すものである。
【００５６】
【表４】
2006340786.tif 000006
【００５７】
上記表４に示されるように、図７に示すベロ部８３に重りを配置した場合を基準として、ウエブ部３の先端部に重りを貼り付けると、半数以上の被験者が慣性モーメントＭの変動を感知することができることが分かった。すなわち、使用者は、慣性モーメントＭの変動量は、１５（ｇ・ｓ２・ｃｍ）の変動であっても感知できることが分かった。
【００５８】
このような、官能試験により、使用者は、少なくとも１５（ｇ・ｓ２・ｃｍ）程度の慣性モーメントＭの変動を感知することが分かる。すなわち、既存の捕球具よりも慣性モーメントＭを１５（ｇ・ｓ２・ｃｍ）以上小さくさせた場合には、使用者が感知できる程度まで、操作性を向上させることができることが分かる。さらに、既存の捕球具よりも慣性モーメントＭを１５（ｇ・ｓ２・ｃｍ）以上大きくさせた場合には、使用者が感知できる程度まで、捕球具の安定性を向上させることができることが分かる。
【００５９】
そこで、図１において、基準線Ｌ１の切片に１５（ｇ・ｓ２・ｃｍ）加えたものを基準線Ｌ２とし、基準線Ｌ１の切片に１５（ｇ・ｓ２・ｃｍ）引いたものを基準線Ｌ３とした。これにより、基準線Ｌ２より上方に位置する捕球具は、基準線Ｌ２と基準線Ｌ３とにより挟まれる領域内の捕球具より、安定性に優れていると、使用者が感じることができ、また、実際の捕球においても、捕球姿勢を維持し易いものとなっている。
【００６０】
さらに、基準線Ｌ３より下方に位置する捕球具は、基準線Ｌ２および基準線Ｌ３に挟まれる領域内の捕球具よりも、使用者が感知できる程度に小さいな力で捕球具を回動等させることができ、操作性に優れた捕球具となっている。
【００６１】
なお、本実施の形態１においては、表４に基づいて、基準線Ｌ２および基準線Ｌ３を設定しているが、これに限られない。例えば、表２において、３０ｇの重りを取り付けて、慣性モーメントＭを２３（ｇ・ｓ２・ｃｍ）変動させた場合には、半数以上の被験者が、慣性モーメントＭの変動を感知したことに基づいて、基準線Ｌ２および基準線Ｌ３を設定してもよい。この場合には、基準線Ｌ２は、Ｍ＝０．５４２×Ｇ−１２０．１４となり、基準線Ｌ３は、Ｍ＝０．５４２×Ｇ−１６６．１４となる。
【００６２】
また、表２において、４０ｇの重りを取り付けて、慣性モーメントＭを３０（ｇ・ｓ２・ｃｍ）変動させた場合には、被験者の略全員が慣性モーメントＭの変動を感知したことに基づいて、基準線Ｌ２および基準線Ｌ３を設定してもよい。この場合には、基準線Ｌ２は、Ｍ＝０．５４２×Ｇ−１１３．１４となり、基準線Ｌ３は、Ｍ＝０．５４２×Ｇ−１７３．１４となる。
【００６３】
そして、表２において、５０ｇの重りを取り付けて、慣性モーメントＭを３８（ｇ・ｓ２・ｃｍ）変動させた場合には、被験者の全員が慣性モーメントＭの変動を感知したことに基づいて、基準線Ｌ２および基準線Ｌ３を設定してもよい。この場合には、基準線Ｌ２は、Ｍ＝０．５４２×Ｇ−１０５．１４となり、基準線Ｌ３は、Ｍ＝０．５４２×Ｇ−１８１．１４となる。
【００６４】
さらに、表３において、５０ｇの重りを取り付ける位置を、ベロ部からウエブ部の先端部に変えることにより、慣性モーメントＭを２０（ｇ・ｓ２・ｃｍ）変動させた場合には、被験者の全員が慣性モーメントＭの変動を感知したことに基づいて、基準線Ｌ２および基準線Ｌ３を設定してもよい。
【００６５】
この場合には、基準線Ｌ２は、Ｍ＝０．５４２×Ｇ−１２３．１４となり、基準線Ｌ３は、Ｍ＝０．５４２×Ｇ−１６３．１４となる。
【００６６】
また、表３において、５０ｇの重りを取り付ける位置を、ベロ部から指袋の先端部に変えることにより、慣性モーメントＭを３３（ｇ・ｓ２・ｃｍ）変動させた場合には、被験者の全員が慣性モーメントＭの変動を感知したことに基づいて、基準線Ｌ２および基準線Ｌ３を設定してもよい。
【００６７】
この場合には、基準線Ｌ２は、Ｍ＝０．５４２×Ｇ−１１０．１４となり、基準線Ｌ３は、Ｍ＝０．５４２×Ｇ−１７６．１４となる。
【００６８】
そして、図１において、慣性モーメントＭの上限値および下限値を示すモーメント基準線Ｌ５と、モーメント基準線Ｌ４との導出方法について、説明する。慣性モーメントＭの上限値は、慣性モーメントＭが大きすぎると、捕球時に捕球具を捌き難くなり、使用者が不快感や疲労感を感じやすいという傾向にあることから導出している。そこで、下記表５は、図６に示される捕球具１のウエブ部３に設けられる重りの質量を５０ｇ〜１８０ｇまで変動させた際に、被験者が違和感を覚えた否かについて、官能試験を行なった結果を示すものである。
【００６９】
【表５】
2006340786.tif 000007
【００７０】
上記表５に示されるように、ウエブ部３の先端部に設けられる重りの質量が１５０ｇ以上となると違和感を覚えたことが分かる。そして、ウエブ部３の先端部に１５０ｇの重りが設けられた捕球具の慣性モーメントＭは、２８０（ｇ・ｓ２・ｃｍ）程度となる。そこで、図１において、慣性モーメントＭの上限値を示す慣性モーメント基準線Ｌ５をＭ＝２８０（ｇ・ｓ２・ｃｍ）とした。
【００７１】
そして、慣性モーメントＭの下限値は、慣性モーメントＭが小さ過ぎると、ボールを捕球する際に、捕球具が弾かれ易く、捕球に影響を与えるという問題があることから設定されている。そこで、各種慣性モーメントＭの異なる捕球具を用いて、捕球実験を行い、慣性モーメントＭの下限値を導出している。
【００７２】
上記捕球実験は、図８に示す慣性モーメントＭの測定における捕球具の姿勢となるように、被験者が捕球具を装着する。図１３は、捕球実験において、被験者が捕球具を装着した状態を示す側面図である。この図１３に示されるように、捕球具１の正面からボールＷを時速１００ｋｍ／ｈの速度で捕球具１に向けて発射する。そして、ボールＷが捕球具１に当接すると、捕球具１は、使用者の橈骨の手首側先端部を通る回転軸線Ｏ１を中心に回動する。ここで、使用者の橈骨の手首側端部をとおり、ウエブ部３の先端部１ｃを通る軸線を軸線Ｏ２とする。図１４は、捕球実験において、捕球具にボールが当接する位置を示した捕球具の正面図である。この図１４に示されるように、ボールＷは、人差指袋４の中央部に当接するようにする。なお、時速１００ｋｍ／ｈのボールＷを捕球具１に出射することとしたのは、ライナのボールを内野手が捕球する場合を想定したためである。
【００７３】
そして、図１３に示すように、捕球実験においては、捕球具１にボールＷが当接してから、交点１ｃの変位状況を、例えば、高速度カメラ（Ｎａｃ社製  ＨＳＶ５００）を用いて観察し、使用者の橈骨の手首側端部Ｏ１を中心に回転する交点１ｃの回転角度θを観察する。一般に、捕球過程において、回転角度θが３０°を超える場合には、ボールＷが捕球具１から外方に飛び出しやすく、捕球に影響を与えることが知られている。そして、下記表６は、慣性モーメントＭが８０（ｇ・ｓ２・ｃｍ）から１４０（ｇ・ｓ２・ｃｍ）の捕球具について、上記のような捕球実験を行い、それぞれの捕球具についての慣性モーメントＭと、回転角度θを示したものである。
【００７４】
【表６】
2006340786.tif 000008
【００７５】
上記表６に示されるように、慣性モーメントＭＭが８０（ｇ・ｓ２・ｃｍ）となると、回転角度θが３０°となり、捕球に影響が生じることが分かる。そこで、図１において、慣性モーメントＭの下限値を示す慣性モーメント基準線Ｌ４をＭ＝８０（ｇ・ｓ２・ｃｍ）とした。
【００７６】
なお、本実施の形態１においては、慣性モーメント基準線Ｌ４を、捕球具の回動角度θが３０°を超えると、ボールを捕球具内に維持することが困難であるとの実情から、設定しているが、これに限られない。
【００７７】
例えば、確実な捕球を実現するために、捕球具１の回動角度θが、２５°以下となるように、慣性モーメント基準線Ｌ４をＭ＝９０（ｇ・ｓ２・ｃｍ）としてもよい。
【００７８】
そして、上記表１にも示されるように、大人用の軟式および硬式用捕球具の質量Ｇは、一般的に、４５０ｇ以上７００ｇという範囲である。さらに、ソフトボール用捕球具も同様の質量Ｇであるため、図１において、質量Ｇの下限値を示す質量基準線Ｌ７を、Ｇ＝４５０（ｇ）とし、質量Ｇの上限値を示す質量基準線Ｌ６を、Ｇ＝７００（ｇ）とした。
【００７９】
このようにして、図１に示すように、縦軸に捕球具の慣性モーメントＭが取られ、横軸に捕球具の質量Ｇが取られたグラフにおいて、操作性に優れた捕球具の範囲を示す領域Ｒ１と、質量Ｇの割に安定感に優れた捕球具の範囲を示す領域Ｒ２とが規定される。そして、図１に示されたグラフを用いて、捕球具の慣性モーメントＭと、質量Ｇとの関係が領域Ｒ１または領域Ｒ２内に入るように、捕球具の設計を行なうことにより、操作性に優れた捕球具または安定性に優れた捕球具を容易に設計することができる。
【００８０】
そして、領域Ｒ１内の捕球具は、基準線Ｌ２と基準線Ｌ３とにより挟まれる領域内の捕球具よりも、慣性モーメントＭが小さく、小さな力で捕球具を回動等することができ、迅速に捕球姿勢をとることができる。すなわち、操作性に優れている。さらに、領域Ｒ２内の捕球具は、ボールを捕球する際に、捕球具がボールにより弾かれることが抑制されており、安定性に優れている。そして、領域Ｒ２内の捕球具は、慣性モーメントＭが過大に大きすぎることによる違和感等の弊害が抑制されている。
【００８１】
すなわち、図１に示されたグラフに基づいて捕球具を設計する設計手法によれば、捕球具の質量Ｇと、慣性モーメントＭとの関係が領域Ｒ１内または領域Ｒ２内に入るように、捕球具の質量配分を設定することにより、操作性に優れた捕球具また安定性に優れた捕球具を容易に設計することができる。
【００８２】
図１３において、捕球具１の操作性を向上させるには、捕球具１のうち、回動軸線Ｏ１側の部分の質量を上げると共に、回転中心から離間した部分の質量を低減させることにより、慣性モーメントＭを低減させる。すなわち、捕球具１の重心を開口部８側に位置させることにより、回転軸線Ｏ１に対する慣性モーメントＭを低減させることにより、操作性に優れた捕球具１を得ることができる。そして、捕球具の安定性を向上させるには、捕球具のうち、捕球時における捕球具１の回転中心側の部分の質量を下げると共に、回転中心から離間した部分の質量を上げることにより、慣性モーメントＭを高める。すなわち、捕球具１の重心を指袋１１側に位置させることにより、回転軸線Ｏ１に対する慣性モーメントＭを高めることにより、安定性に優れた捕球具１を得ることができる。
【００８３】
なお、本実施の形態１においては、捕球具を回転軸線Ｏ１を中心に回転させることにより、捕球動作を行なうこととしているが、これに限られない。すなわち、回転軸線Ｏ２を中心に捕球具を回転させることにより、捕球する場合もある。そこで、この回転軸線Ｏ２を中心に捕球具を回転させる際の慣性モーメントＭに基づいて、捕球具の質量Ｇを配分してもよい。
【００８４】
例えば、捕球具の質量Ｇを回転軸線Ｏ２側に質量を配分し、回転軸線Ｏ２から離間するに従って質量を低減するように構成してもよい。すなわち、具体的には、親指袋２側および小指袋７側から、人差指袋４側に向かうに従って、質量が大きくなるように質量配分する。このように構成された捕球具は、回転軸線Ｏ２回りの慣性モーメントＭが小さく、回転軸線Ｏ２を中心に回転させ易く、操作性に優れている。
【００８５】
また、捕球具のうち、回転軸線Ｏ２側の質量を軽減し、回転軸線Ｏ２側から離れるに従って、質量を配分してもよい。すなわち、人差指袋４側から親指袋２側および小指袋７側に向かうに従って、漸次質量が大きくなるように、捕球具１を形成する。この場合には、回転軸線Ｏ２に対する慣性モーメントＭが大きく、捕球具がボールにより弾かれ難く、安定性に優れたものとなる。
【００８６】
（実施の形態２）
図１５を用いて、本実施の形態２に係る捕球具の設計方法およびその捕球具の設計方法により設計された捕球具について説明する。図１５は、操作性に優れた野球用の捕球具および、安定性に優れた捕球具を捕球具の慣性モーメントＭと、捕球具の質量Ｇとにより示したグラフである。この図１５において、領域Ｒ３は、操作性に優れた捕球具を示す領域であり、領域Ｒ４は、安定性に優れた捕球具を示す領域である。
【００８７】
領域Ｒ３は、基準線Ｌ９（Ｍ＝０．４８８×Ｇ−１２８．８３）と、慣性モーメント基準線Ｌ４（Ｍ＝８０（ｇ・ｓ２・ｃｍ））と、質量基準線Ｌ６（Ｇ＝７００（ｇ））と、質量基準線Ｌ７（Ｇ＝４５０（ｇ））とにより囲まれる領域であり、８０≦Ｍ≦０．４８８×Ｇ−１２８．８３（但し、４５０ｇ≦Ｇ≦７００ｇ）と示される。また領域Ｒ４は、基準線Ｌ８（Ｍ＝０．５９６×Ｇ−１５７．４５）と、慣性モーメント基準線Ｌ５（Ｍ＝２８０（ｇ・ｓ２・ｃｍ））と、質量基準線Ｌ６（Ｇ＝７００（ｇ））と、質量基準線Ｌ７（Ｇ＝４５０（ｇ））とにより囲まれる領域であり、２８０（ｇ・ｓ２・ｃｍ）≧Ｍ≧０．５９６×Ｇ−１５７．４５（但し、４５０ｇ≦Ｇ≦７００ｇ）と示される。
【００８８】
使用者は、捕球具の慣性モーメントＭが１０％変動すると、その変動を感知することができるものとし、基準線Ｌ１を基準として、基準線Ｌ８および基準線Ｌ９を設定している。
【００８９】
このように、慣性モーメントＭの変動率を使用者が感知することに基づいて、基準線Ｌ８および基準線Ｌ９を算出することとしたのは、使用者が慣性モーメントＭの変動を感知する際には、慣性モーメントＭの変動率にも大きな影響を受けることに基づいている。すなわち、慣性モーメントＭの変動率が小さい場合には、その慣性モーメントＭの変動量の絶対値の大きさに係わらず、慣性モーメントＭの変動を感知し難いことに鑑みて、基準線Ｌ８および基準線Ｌ９を設定している。このように、基準線Ｌ８および基準線９が設定されたので、使用者が安定性または操作性の向上を感知することができる程度に、領域Ｒ３内または領域Ｒ４内の捕球は、慣性モーメントＭが調整されている。
【００９０】
ここで、使用者が捕球具の慣性モーメントＭの１０％の変動を感知することができるとしたのは、上記表２において、被験者は、慣性モーメントＭが１５０（ｇ・ｓ２・ｃｍ）の捕球具に対して、略１５（ｇ・ｓ２・ｃｍ）程度の慣性モーメントＭの変動を感知しており、捕球具の全慣性モーメントＭの１０％の変動を感知することに基づく。そこで、基準線Ｌ８は、基準線Ｌ１の傾きおよび切片に対して１．１をそれぞれ乗して、基準線Ｌ９を算出した。また、基準線Ｌ９は、基準線Ｌ１の傾きおよび切片に０．９を乗して、算出した。
【００９１】
ここで、本実施の形態２においては、使用者は、慣性モーメントＭの１０％の変動率を感知することができることに基づいて、基準線Ｌ８および基準線Ｌ９を設定しているが、これに限られない。
【００９２】
すなわち、表２において、３０ｇの重りを取り付けて、慣性モーメントＭを１４％変動させた場合には、半数以上の被験者が、慣性モーメントＭの変動を感知したことに基づいて、基準線Ｌ８および基準線Ｌ９を設定してもよい。この場合には、基準線Ｌ８は、Ｍ＝０．６１８×Ｇ−１６３．１８となり、基準線Ｌ９は、Ｍ＝０．４６６×Ｇ−１２３．１０となる。
【００９３】
また、表２において、４０ｇの重りを取り付けて、慣性モーメントＭを１８％変動させた場合には、被験者の略全員が慣性モーメントＭの変動を感知したことに基づいて、基準線Ｌ８および基準線Ｌ９を設定してもよい。この場合には、基準線Ｌ８は、Ｍ＝０．６３９×Ｇ−１６８．９０となり、基準線Ｌ９は、Ｍ＝０．４４４×Ｇ−１１７．３７となる。
【００９４】
そして、表２において、５０ｇの重りを取り付けて、慣性モーメントＭを２３％変動させた場合には、被験者の全員が慣性モーメントＭの変動を感知したことに基づいて、基準線Ｌ８および基準線Ｌ９を設定してもよい。この場合には、基準線Ｌ８は、Ｍ＝０．６６７×Ｇ−１７０．０６となり、基準線Ｌ９は、Ｍ＝０．４１７×Ｇ−１１０．２となる。
【００９５】
さらに、表３において、５０ｇの重りを取り付ける位置を、ベロ部からウエブ部の先端部に変えることにより、慣性モーメントＭを１１％変動させた場合には、被験者の全員が慣性モーメントＭの変動を感知したことに基づいて、基準線Ｌ８および基準線Ｌ９を設定してもよい。この場合には、基準線Ｌ８は、Ｍ＝０．６０２×Ｇ−１５８．８９となり、基準線Ｌ９は、Ｍ＝０．４８２×Ｇ−１２７．３９となる。
【００９６】
また、表３において、５０ｇの重りを取り付ける位置を、ベロ部から指袋の先端部に変えることにより、慣性モーメントＭを１９％変動させた場合には、被験者の全員が慣性モーメントＭの変動を感知したことに基づいて、基準線Ｌ８および基準線Ｌ９を設定してもよい。この場合には、基準線Ｌ８は、Ｍ＝０．６４５×Ｇ−１７０．３４となり、基準線Ｌ９は、Ｍ＝０．４３９×Ｇ−１１５．９４となる。なお、図１５に示された基準線のうち、上記説明以外の基準線は、上記実施の形態１に示された基準線と同一の基準線のものであり、同一の符号を付してその説明を省略する。
【００９７】
そして、捕球具の設計する際に、作成する捕球の慣性モーメントＭと、質量Ｇとの関係が、領域Ｒ３または領域Ｒ４内に入るように設計することにより、使用者が操作性の向上および安定性の向上を感知することができる捕球具を設計することができる。なお、本実施の形態２に係るグラフも、上記実施の形態１に係るグラフと同様に、操作性または安定性に優れた捕球具の範囲が規定されている。このため、図１５に係るグラフを用いて捕球具を設計する設計手法を採用することにより、安定性または操作性に優れた捕球具を容易に設計することができる。また、図１５に示された領域Ｒ３および領域Ｒ４は、上記実施の形態と同様に、質量基準線Ｌ６および質量基準線Ｌ７と、慣性モーメント基準線Ｌ４および慣性モーメント基準線Ｌ５により区画されているため、領域Ｒ３および領域Ｒ４内の捕球具は、領域Ｒ１内および領域Ｒ２内の捕球具と同様の作用・効果を得ることができる。
【００９８】
（実施の形態３）
図１６および図１７を用いて、本実施の形態３に係る内野手用捕球具の設計方法およびその設計方法により設計された内野手用捕球具について説明する。図１６は、内野手用の捕球具について、操作性に優れた捕球具と、安定性に優れた捕球具の範囲を、捕球具の慣性モーメントＭと、質量Ｇとから示したグラフである。領域Ｒ５は、操作性に優れた内野手用捕球具の範囲を示すものであり、領域Ｒ６は、安定性に優れた捕球具の範囲を示すものである。
【００９９】
領域Ｒ５は、基準線Ｌ１２（Ｍ＝０．４４７×Ｇ−１０８．４７）と、慣性モーメント基準線Ｌ４（Ｍ＝８０（ｇ・ｓ２・ｃｍ））と、質量基準線Ｌ６ａ（Ｇ＝６００（ｇ））と、質量基準線Ｌ７（Ｇ＝４５０（ｇ））とにより囲まれる領域であり、８０（ｇ・ｓ２・ｃｍ）≦Ｍ≦０．４４７×Ｇ−１０８．４７（但し、４５０ｇ≦Ｇ≦６００ｇ）と示される。
【０１００】
そして、領域Ｒ６は、基準線Ｌ１１（Ｍ＝０．４４７×Ｇ−７８．４７）と、図示されない、慣性モーメント基準線（＝２８０（ｇ・ｓ２・ｃｍ））と、質量基準線Ｌ６ａ（Ｇ＝６００（ｇ））と、質量基準線Ｌ７（Ｇ＝４５０（ｇ））と、により囲まれる領域であり、２８０（ｇ・ｓ２・ｃｍ）≧Ｍ≧０．４４７×Ｇ−７８．４７（但し、４５０ｇ≦Ｇ≦６００ｇ）と示される。ここで、上記表１にも示されるように、大人用の軟式および硬式用内野手用捕球具の質量Ｇは、一般的に、４５０ｇ以上６００ｇという範囲である。さらに、ソフトボール用内野手用捕球具も同様の質量Ｇであるため、図１６において、質量Ｇの下限値を示す質量基準線Ｌ７を、Ｇ＝４５０（ｇ）とし、質量Ｇの上限値を示す質量基準線Ｌ６ａを、Ｇ＝６００（ｇ）とした。
【０１０１】
この図１６に示されるグラフを用いて、内野手用捕球具の慣性モーメントＭと、質量Ｇとの関係が領域Ｒ５または領域Ｒ６内に入るように、内野手用捕球具の質量配分を設計する設計手法によれば、操作性に優れた内野手用捕球具または安定性に優れた内野手用捕球具を容易に設計することができる。
【０１０２】
ここで、領域Ｒ５や領域Ｒ６を規定する基準線Ｌ１１や基準線Ｌ１２するには、まず、基準線Ｌ１０を設定し、この基準線Ｌ１０を基に基準線Ｌ１１および基準線Ｌ１２を導出する。そこで、まず、基準線Ｌ１０を導出するには、まず、複数の内野手用捕球具について、その慣性モーメントＭと、質量Ｇについて測定する。下記表７は、内野手用捕球具について、測定した結果を示すものである。
【０１０３】
【表７】
2006340786.tif 000009
【０１０４】
この表７から、慣性モーメントＭと、質量Ｇとの関係式である、Ｍ＝０．４４７×Ｇ−９３．４７を算出し、これを基準線Ｌ１０とする。そして、この基準線Ｌ１０に対して、切片に１５（ｇ・ｓ２・ｃｍ）を加えたものを基準線Ｌ１１とし、基準線Ｌ１０に対して切片に１５（ｇ・ｓ２・ｃｍ）を引いたものを基準線１２としている。基準線１１および基準線１２を、基準線１０に対して、１５（ｇ・ｓ２・ｃｍ）の幅としたのは、上記表４より、被験者が１５（ｇ・ｓ２・ｃｍ）の慣性モーメントＭの変動を感知することができたことに基づく。このようにして、図１６に示される領域Ｒ５および領域Ｒ６を設定する。なお、上記実施の形態１と同様に、基準線Ｌ１０と、基準線Ｌ１１および基準線Ｌ１２との幅は、１５（ｇ・ｓ２・ｃｍ）に限られない。
【０１０５】
例えば、表２において、３０ｇの重りを取り付けて、慣性モーメントＭを２３（ｇ・ｓ２・ｃｍ）変動させた場合には、半数以上の被験者が、慣性モーメントＭの変動を感知したことに基づいて、基準線Ｌ１１および基準線Ｌ１２を設定してもよい。この場合には、基準線Ｌ１１は、Ｍ＝０．４４７×Ｇ−７０．４７となり、基準線Ｌ１２は、Ｍ＝０．４４７×Ｇ−１１６．４７となる。
【０１０６】
また、表２において、４０ｇの重りを取り付けて、慣性モーメントＭを３０（ｇ・ｓ２・ｃｍ）変動させた場合には、被験者の略全員が慣性モーメントＭの変動を感知したことに基づいて、基準線Ｌ１１および基準線Ｌ１２を設定してもよい。この場合には、基準線Ｌ１１は、Ｍ＝０．４４７×Ｇ−６３．４７となり、基準線Ｌ１２は、Ｍ＝０．４４７×Ｇ−１２３．４７となる。
【０１０７】
そして、表２において、５０ｇの重りを取り付けて、慣性モーメントＭを３８（ｇ・ｓ２・ｃｍ）変動させた場合には、被験者の全員が慣性モーメントＭの変動を感知したことに基づいて、基準線Ｌ１１および基準線Ｌ１２を設定してもよい。この場合には、基準線Ｌ１１は、Ｍ＝０．４４７×Ｇ−５５．４７となり、基準線Ｌ１２は、Ｍ＝０．４４７×Ｇ−１３１．４７となる。
【０１０８】
さらに、表３において、５０ｇの重りを取り付ける位置を、ベロ部からウエブ部の先端部に変えることにより、慣性モーメントＭを２０（ｇ・ｓ２・ｃｍ）変動させた場合には、被験者の全員が慣性モーメントＭの変動を感知したことに基づいて、基準線Ｌ１１および基準線Ｌ１２を設定してもよい。この場合には、基準線Ｌ１１は、Ｍ＝０．４４７×Ｇ−７３．４７となり、基準線Ｌ１２は、Ｍ＝０．４４７×Ｇ−１１３．４７となる。
【０１０９】
また、表３において、５０ｇの重りを取り付ける位置を、ベロ部から指袋の先端部に変えることにより、慣性モーメントＭを３３（ｇ・ｓ２・ｃｍ）変動させた場合には、被験者の全員が慣性モーメントＭの変動を感知したことに基づいて、基準線Ｌ１１および基準線Ｌ１２を設定してもよい。この場合には、基準線Ｌ１１は、Ｍ＝０．４４７×Ｇ−６０．４７となり、基準線Ｌ１２は、Ｍ＝０．４４７×Ｇ−１２６．４７となる。
【０１１０】
図１７は、基準線Ｌ１０の傾きおよび切片に１．１を乗した基準線Ｌ１３と、基準線Ｌ１０の傾きおよび切片に０．９を乗した基準線Ｌ１４とを用いて、操作性または安定性に優れた内野手用捕球具の領域を示している。この図１７に示されたグラフは、表２において、被験者が、１０％の慣性モーメントＭの変動を感知することができることに基づき、基準線Ｌ１１および基準線１２を設定している。
【０１１１】
そして、この図１７に示されたグラフにおいて、領域Ｒ７は、操作性に優れた内野手用捕球具の範囲を示すものであり、領域Ｒ８は、安定性に優れた内野手用捕球具の範囲を示すものである。ここで、領域Ｒ７は、基準線Ｌ１４（Ｍ＝０．４０２×Ｍ−８４．１２）と、慣性モーメント基準線Ｌ４（Ｍ＝８０（ｇ・ｓ２・ｃｍ））と、質量基準線Ｌ６ａ（Ｇ＝６００（ｇ））と、質量基準線Ｌ７（Ｇ＝４５０（ｇ））とにより囲まれる領域であり、８０≦Ｍ≦０．４０２×Ｍ−８４．１２（但し、４５０ｇ≦Ｇ≦６００ｇ）と示される。そして、領域Ｒ８は、基準線Ｌ１３（Ｍ＝０．４９２×Ｇ−１０２．８１）と、図示されない慣性モーメント基準線（＝２８０（ｇ・ｓ２・ｃｍ））と、質量基準線Ｌ６ａ（Ｇ＝６００（ｇ））と、質量基準線Ｌ７（Ｇ＝４５０（ｇ））とにより囲まれる領域であり、２８０（ｇ・ｓ２・ｃｍ）≧Ｍ≧０．４９２×Ｇ−１０２．８１（但し、４５０ｇ≦Ｇ≦６００ｇ）と示される。
【０１１２】
ここで、図１７に示されたグラフは、表４において、被験者が慣性モーメントＭの１０％の変動を感知することができることに基づいて設定されているが、これに限られない。
【０１１３】
例えば、表２において、３０ｇの重りを取り付けて、慣性モーメントＭを１４％変動させた場合には、半数以上の被験者が、慣性モーメントＭの変動を感知したことに基づいて、基準線Ｌ１３および基準線Ｌ１４を設定してもよい。この場合には、基準線Ｌ１３は、Ｍ＝０．５１０×Ｇ−８３．３４となり、基準線Ｌ１４は、Ｍ＝０．３８５×Ｇ−８０．３８となる。
【０１１４】
また、表２において、４０ｇの重りを取り付けて、慣性モーメントＭを１８％変動させた場合には、被験者の略全員が慣性モーメントＭの変動を感知したことに基づいて、基準線Ｌ１３および基準線Ｌ１４を設定してもよい。この場合には、基準線Ｌ１３は、Ｍ＝０．５２７×Ｇ−１１０．２９となり、基準線Ｌ１４は、Ｍ＝０．３６７×Ｇ−７６．６５となる。
【０１１５】
そして、表２において、５０ｇの重りを取り付けて、慣性モーメントＭを２３％変動させた場合には、被験者の全員が慣性モーメントＭの変動を感知したことに基づいて、基準線Ｌ１３および基準線Ｌ１４を設定してもよい。この場合には、基準線Ｌ１３は、Ｍ＝０．５５０×Ｇ−１１５．９７となり、基準線Ｌ１４は、Ｍ＝０．３４４×Ｇ−７１．９７となる。
【０１１６】
さらに、表３において、５０ｇの重りを取り付ける位置を、ベロ部からウエブ部の先端部に変えることにより、慣性モーメントＭを１１％変動させた場合には、被験者の全員が慣性モーメントＭの変動を感知したことに基づいて、基準線Ｌ１３および基準線Ｌ１４を設定してもよい。この場合には、基準線Ｌ１３は、Ｍ＝０．４９６×Ｇ−１０３．７５となり、基準線Ｌ１４は、Ｍ＝０．３９８×Ｇ−８３．１９となる。
【０１１７】
また、表３において、５０ｇの重りを取り付ける位置を、ベロ部から指袋の先端部に変えることにより、慣性モーメントＭを１９％変動させた場合には、被験者の全員が慣性モーメントＭの変動を感知したことに基づいて、基準線Ｌ１３および基準線Ｌ１４を設定してもよい。この場合には、基準線Ｌ１３は、Ｍ＝０．５３２×Ｇ−１１１．２２となり、基準線Ｌ１４は、Ｍ＝０．３６２×Ｇ−７５．７１となる。
【０１１８】
これら図１６および図１７に示されたグラフを用いて、内野手用捕球具の設計方法によれば、作成する内野手用捕球具の慣性モーメントＭと、質量Ｇとの関係を領域Ｒ５、Ｒ７内または、領域Ｒ６、Ｒ８内に入るように、質量配分を設定することにより、安定性または操作性に優れた捕球具を容易に設計することができる。特に、設計する捕球具の慣性モーメントＭと質量Ｇとの関係が領域Ｒ７内に入るように、設計することにより、慣性モーメントＭが大きい捕球具においても、使用者が操作性の向上を感知することができる捕球具を設計することができる。同様に、設計する捕球具の慣性モーメントＭと質量Ｇとの関係が領域Ｒ８内に入るように設計することにより、慣性モーメントＭの大きい捕球具においても、使用者が安定性の向上を感知することができる捕球具を設計することができる。
【０１１９】
本実施の形態３に係る内野手用捕球具の設計方法によれば、容易に操作性または安定性に優れた捕球具を設計することができ、特に、図１７に示されたグラフに基づいて内野手用捕球具を設計すると、使用者が安定性または操作性の向上を感知することができる内野手用捕球具を設計することができる。そして、領域Ｒ５、Ｒ７内に位置するように設計された捕球具によれば、小さな力で回動等させることができ、優れた操作性を得ることができる。また、領域Ｒ６、Ｒ８内に位置するように設計された内野手用捕球具によれば、捕球姿勢を維持しやすく、優れた安定性を得ることができる。
【０１２０】
（実施の形態４）
図１８および図１９を用いて、本実施の形態４に係る外野手用捕球具の設計方法および、その設計方法により設計された外野手用捕球具について説明する。
【０１２１】
図１８は、外野手用捕球具について、操作性に優れた捕球具と、安定性に優れた外野手用捕球具の範囲を、外野手用捕球具の慣性モーメントＭと、質量Ｇとから示したグラフである。この図１８において、領域Ｒ９は、操作性に優れた外野手用捕球具の範囲を示すものであり、領域Ｒ１０は、安定性に優れた外野手用捕球具の範囲を示したものである。
【０１２２】
領域Ｒ９は、基準線Ｌ１７（Ｍ＝０．３８９×Ｇ−５８．８６）と、図示されない慣性モーメント基準線（Ｍ＝８０（ｇ・ｓ２・ｃｍ））と、質量基準線Ｌ６（Ｇ＝７００（ｇ））と、質量基準線Ｌ７ａ（Ｇ＝５５０（ｇ））とにより囲まれる領域であり、Ｍ≦０．３８９×Ｇ−５８．８６（但し、５５０ｇ≦Ｇ≦７００ｇ）と示される。また、領域Ｒ１０は、基準線Ｌ１６（Ｍ＝０．３８９×Ｇ−２８．８６）と、慣性モーメント基準線Ｌ５（Ｍ＝２８０（ｇ・ｓ２・ｃｍ））と、質量基準線Ｌ６（Ｇ＝７００（ｇ））と、質量基準線Ｌ７ａ（Ｇ＝５５０（ｇ））とにより囲まれる領域であり、Ｍ≧０．８３９×Ｇ−２８．８６（但し、５５０ｇ≦Ｇ≦７００ｇ）と示される。ここで、上記表１にも示されるように、大人用の軟式および硬式用外野手用捕球具の質量Ｇは、一般的に、５５０ｇ以上７００ｇという範囲である。さらに、ソフトボール用外野手用捕球具も同様の質量Ｇであるため、図１８において、質量Ｇの下限値を示す質量基準線Ｌ７ａを、Ｇ＝５５０（ｇ）とし、質量Ｇの上限値を示す質量基準線Ｌ６を、Ｇ＝７００（ｇ）とした。
【０１２３】
そして、領域Ｒ９および領域Ｒ１０を規定する基準線Ｌ１６および基準線Ｌ１７には、まず、基準線Ｌ１５を設定し、この基準線Ｌ１５を基に基準線Ｌ１６および基準線Ｌ１７を導出する。基準線Ｌ１５は、複数の外野手用捕球具について、慣性モーメントＭと質量Ｇとの関係を測定し、その測定結果から算出する。下記表８は、複数の外野手用捕球具について慣性モーメントＭと質量Ｇなどについて測定した結果を示すものである。
【０１２４】
【表８】
2006340786.tif 000010
【０１２５】
上記表８から、外野手用捕球具の慣性モーメントＭと、質量Ｇとの関係は、Ｍ＝０．３８９×Ｇ−４３．８６と略近似できることが分かる。そこで、Ｍ＝０．３８９×Ｇ−４３．８６を基準線Ｌ１５として、この基準線Ｌ１５の切片に１５（ｇ・ｓ２・ｃｍ）を加えたものを、基準線Ｌ１６とし、基準線Ｌ１５の切片に１５（ｇ・ｓ２・ｃｍ）を引いたものを基準線Ｌ１７とした。なお、図１８に示されたグラフにおいては、上記表４に示されるように、被験者が、１５（ｇ・ｓ２・ｃｍ）の慣性モーメントＭの変動を感知することができることを参酌して、基準線Ｌ１６および基準線Ｌ１７が設定されているが、これに限られない。
【０１２６】
すなわち、外野手用捕球具においても、表２および表３から見出される事項を参酌して、基準線Ｌ１６および基準線Ｌ１７を設定してもよい。例えば、表２において、３０ｇの重りを取り付けて、慣性モーメントＭを２３（ｇ・ｓ２・ｃｍ）変動させた場合には、半数以上の被験者が、慣性モーメントＭの変動を感知したことを参酌して、基準線Ｌ１６および基準線Ｌ１７を設定してもよい。この場合には、基準線Ｌ１６は、Ｍ＝０．３８９×Ｇ−２０．８６となり、基準線Ｌ３は、Ｍ＝０．３８９×Ｇ−６６．８９となる。
【０１２７】
また、表２において、４０ｇの重りを取り付けて、慣性モーメントＭを３０（ｇ・ｓ２・ｃｍ）変動させた場合には、被験者の略全員が慣性モーメントＭの変動を感知したことを参酌して、基準線Ｌ１６および基準線Ｌ１７を設定してもよい。この場合には、基準線Ｌ１６は、Ｍ＝０．３８９×Ｇ−１３．８６となり、基準線Ｌ３は、Ｍ＝０．３８９×Ｇ−７３．８６となる。
【０１２８】
そして、表２において、５０ｇの重りを取り付けて、慣性モーメントＭを３８（ｇ・ｓ２・ｃｍ）変動させた場合には、被験者の全員が慣性モーメントＭの変動を感知したことを参酌して、基準線Ｌ１６および基準線Ｌ１７を設定してもよい。この場合には、基準線Ｌ１６は、Ｍ＝０．３８９×Ｇ−５．８６となり、基準線Ｌ３は、Ｍ＝０．３８９×Ｇ−８１．８６となる。
【０１２９】
さらに、表３において、５０ｇの重りを取り付ける位置を、ベロ部からウエブ部の先端部に変えることにより、慣性モーメントＭを２０（ｇ・ｓ２・ｃｍ）変動させた場合には、被験者の全員が慣性モーメントＭの変動を感知したことを参酌して、基準線Ｌ１６および基準線Ｌ１７を設定してもよい。この場合には、基準線Ｌ１６は、Ｍ＝０．３８９×Ｇ−２３．８６となり、基準線Ｌ３は、Ｍ＝０．３８９×Ｇ−６３．８６となる。
【０１３０】
また、表３において、５０ｇの重りを取り付ける位置を、ベロ部から指袋の先端部に変えることにより、慣性モーメントＭを３３（ｇ・ｓ２・ｃｍ）変動させた場合には、被験者の全員が慣性モーメントＭの変動を感知したことを参酌して、基準線Ｌ１６および基準線Ｌ１７を設定してもよい。
【０１３１】
この場合には、基準線Ｌ１６は、Ｍ＝０．３８９×Ｇ−１０．８６となり、基準線Ｌ３は、Ｍ＝０．３８９×Ｇ−７６．８６となる。
【０１３２】
図１９は、基準線Ｌ１５の傾きおよび切片に１．１を乗したものを基準線Ｌ１８とし、基準線Ｌ１５の傾きおよび切片に０．９を乗したものを基準線Ｌ１９としたグラフである。
【０１３３】
ここで、領域Ｒ１１は、基準線Ｌ１９（Ｍ＝０．３５０×Ｇ−３９．４７５）と、図示されない慣性モーメント基準線（Ｍ＝８０（ｇ・ｓ２・ｃｍ））と、質量基準線Ｌ６（Ｇ＝７００（ｇ））と、質量基準線Ｌ７ａ（Ｇ＝５５０（ｇ））とにより囲まれる領域であり、８０（ｇ・ｓ２・ｃｍ）≦Ｍ≦０．３５０×Ｇ−３９．４７５（但し、５５０ｇ≦Ｇ≦７００ｇ）と示される。そして、領域Ｒ１２は、基準線Ｌ１８（Ｍ＝０．４２８×Ｇ−４８．２４７）と、図示されない慣性モーメント基準線（Ｍ＝２８０（ｇ・ｓ２・ｃｍ））と、質量基準線Ｌ６（Ｇ＝７００（ｇ））と、質量基準線Ｌ７ａ（Ｇ＝５５０（ｇ））とにより囲まれる領域であり、２８０（ｇ・ｓ２・ｃｍ）≧Ｍ≧０．８３９×Ｇ−３３．８６（但し、５５０ｇ≦Ｇ≦７００ｇ）と示される。このように、図１９に示されたグラフにおいては、表４において、被験者が１０％の慣性モーメントＭの変動率を感知することを参酌して設定されているが、これに限られない。
【０１３４】
すなわち、表２において、３０ｇの重りを取り付けて、慣性モーメントＭを１４％変動させた場合には、半数以上の被験者が、慣性モーメントＭの変動を感知したことを参酌して、基準線Ｌ１８および基準線Ｌ１９を設定してもよい。この場合には、基準線Ｌ１８は、Ｍ＝０．４４３×Ｇ−５０．００となり、基準線Ｌ１９は、Ｍ＝０．３３５×Ｇ−３７．７２となる。
【０１３５】
また、表２において、４０ｇの重りを取り付けて、慣性モーメントＭを１８％変動させた場合には、被験者の略全員が慣性モーメントＭの変動を感知したことを参酌して、基準線Ｌ１８および基準線Ｌ１９を設定してもよい。この場合には、基準線Ｌ１８は、Ｍ＝０．４５９×Ｇ−５１．７５となり、基準線Ｌ１９は、Ｍ＝０．３１９×Ｇ−３５．９７となる。
【０１３６】
そして、表２において、５０ｇの重りを取り付けて、慣性モーメントＭを２３％変動させた場合には、被験者の全員が慣性モーメントＭの変動を感知したことを参酌して、基準線Ｌ１８および基準線Ｌ１９を設定してもよい。この場合には、基準線Ｌ１８は、Ｍ＝０．４７８×Ｇ−５３．９５となり、基準線Ｌ１９は、Ｍ＝０．３００×Ｇ−３３．７７となる。
【０１３７】
さらに、表３において、５０ｇの重りを取り付ける位置を、ベロ部からウエブ部の先端部に変えることにより、慣性モーメントＭを１１％変動させた場合には、被験者の全員が慣性モーメントＭの変動を感知したことを参酌して、基準線Ｌ１８および基準線Ｌ１９を設定してもよい。この場合には、基準線Ｌ１８は、Ｍ＝０．４３２×Ｇ−４８．６８となり、基準線Ｌ１９は、Ｍ＝０．３４６×Ｇ−３９．０４となる。
【０１３８】
また、表３において、５０ｇの重りを取り付ける位置を、ベロ部から指袋の先端部に変えることにより、慣性モーメントＭを１９％変動させた場合には、被験者の全員が慣性モーメントＭの変動を感知したことを参酌して、基準線Ｌ１８および基準線Ｌ１９を設定してもよい。この場合には、基準線Ｌ１８は、Ｍ＝０．４６３×Ｇ−５２．１９となり、基準線Ｌ１９は、Ｍ＝０．３１５×Ｇ−３５．５３となる。
【０１３９】
これら、図１８および図１９に示されたグラフに基づいて、外野手用捕球具を設計することにより、安定性に優れた外野手用捕球具または操作性に優れた外野手用捕球具を当為に設計することができる。特に、図１９に示されたグラフに基づいて外野手用捕球具を設計することにより、使用者が操作性および安定性を感知することができる外野手用捕球具を設計することができる。
【実施例１】
【０１４０】
図２０および図２１を用いて、実施例１に係る捕球具１Ａについて、説明する。図２０は、実施例１に係る捕球具１Ａの背面図である。この図２０に示されるように、捕球具１Ａは、背面革９と、図６に示す受球面革とからなる表革１６を備えている。また、この捕球具１Ａは、手口窓部８４と、親指袋２と、ウエブ部３と、人差指袋４と、中指袋５と、薬指袋６と、小指袋７とを備えている。
【０１４１】
この捕球具１Ａの受球面革および背面革９の厚さは、開口部８側から、親指袋２、指袋１１およびウエブ部３の先端部側に向かうに従って、漸次薄くなるように形成されている。そして、人差指袋４と、中指袋５と、薬指袋６と、小指袋７との背面革９のうち、中央部から先端部の部分が、メッシュ状の素材から構成されている。すなわち、背面革９のうち、指袋１１の背面部１１ａを構成する部分が、メッシュ状の素材から構成されている。このメッシュ状の素材は、背面革９および受球面革を構成する皮革より軽量な材料であればよく、ポリエステル系繊維、ナイロンメッシュ、ラッセルメッシュ、超高強力ポリエチレン繊維等が用いられる。このように、捕球具１Ａは、親指袋２、指袋１１およびウエブ部３の先端部側に向かうに従って、質量が軽減化されている。
【０１４２】
このため、捕球具１Ａの重心は、皮革により構成され、背面革９および受球面革１０の厚さが均一とされた従来の捕球具の重心より、回転軸線Ｏ１側に近接している。これにより、捕球具１Ａの慣性モーメントＭは、厚さが均一に形成された表革１６により構成された従来の捕球具の慣性モーメントＭよりも、低減されている。
【０１４３】
また、捕球具１Ａは、親指袋２および指袋１１の先端部側が軽量化されているため、捕球具１Ａの質量Ｇは、背面革９および受球面革の厚さが均一に形成されると共に、背面革９の全面が皮革により構成された従来の捕球具の質量Ｇより、軽量なものとなっている。このため、従来の捕球具が、図２１において、点Ｐ１に位置するとすると、捕球具１Ａは、質量Ｇおよび慣性モーメントＭが小さくなる方向に変位し、例えば、点Ｐ２の位置となる。
【０１４４】
すなわち、捕球具１Ａによれば、受球面革および背面革９の厚みが均一とされ、背面革９の全面が皮革により構成された従来の捕球具よりも、優れた操作性を得ることができる。なお、本実施例１においては、受球面革および背面革９の厚みを親指袋２、指袋１１および、ウエブ部３の先端部に向かうに従って薄く形成する設計手法と、背面革９のうち、指袋１１の中央部から先端部に亘って、メッシュ状の素材から構成する設計手法とを組み合わせたものとなっているが、組合せとしては、これに限られない。すなわち、受球面革および背面革９を備えた表革１６の厚みを親指袋２、指袋１１およびウエブ部２の先端部に向かうに従って、薄く形成する設計手法と、後述する他の実施例に示される設計手法とを組み合わせてもよい。さらに、背面革９のうち、指袋１１の背面側を構成する部分をメッシュ状の素材により構成する設計手法と、後述する他の実施例の設計手法とを組み合わせてもよい。
【実施例２】
【０１４５】
図２２は、実施例２に係る捕球具１Ｂの正面図である。この捕球具１Ｂは、受球面革１０と背面革９とを有する表革１６と、この表革１６内に配置された裏革とを備えている。
【０１４６】
この図２２において、この捕球具１Ｂの受球面革１０および背面革９の厚さは、開口部８側から、親指袋２、指袋１１およびウエブ部３の先端部側に向かうに従って、漸次薄くなるように形成されている。図２３は、捕球具１Ｂ内に配置された裏革１２０の背面図である。この図２３において、裏革１２０は、手甲革と手掌革とから構成されており、親指を受け入れる親指部１２０Ａと、人差指を受け入れる人差指部１２０Ｂと、中指を受け入れる中指部１２０Ｃと、薬指を受け入れる薬指部１２０Ｄと、小指を受け入れる小指部１２０Ｅとを有する。
【０１４７】
また、親指部と小指部には、各指部内において指を固定するための指掛けが設けられている。手甲革はそれぞれ５本の指袋を形成するように複数の皮革からなるパーツを縫製して作製され、手掌革は図２２に示す受球面革１０よりも小さく裁断した５本の略指型形状を有する。手甲革と手掌革も、天然皮革、合成皮革、その他これらと同材質の材質からなる。そして、捕球具１Ｂにおいて裏革１２０は、図２２に示す開口部８側から指袋１１、ウエブ部３または親指袋２の先端部側に向かうに従って、漸次薄肉に形成されている。
【０１４８】
なお、図２２において、親指袋１または指袋１１のうち、少なくとも１つについて、ポケット部９０に沿う方向の幅を、先端部に向けて漸次狭くするように形成するのが好ましい。特に、親指袋２および指袋１１の全てについて、ポケット部９０に沿う方向の幅を、先端部に向けて細くなるように形成するのが好ましい。また、図２３において、親指部１２０Ａと、人差指部１２０Ｂと、中指部１２０Ｃと、薬指部１２０Ｄと、小指部１２０Ｅとのうち、少なくとも１つについて、図２２に示されるポケット部９０に沿う方向の幅を、先端部に向けて細くなるように構成してもよい。
【０１４９】
このように構成された捕球具１Ｂにおいては、回転軸線Ｏ１側ほど、質量が分布しており、回転軸線Ｏ１から離れる程、質量が小さくなるように形成されている。このため、この捕球具１Ｂの重心は、親指袋２および指袋１１の幅が均一とされると共に、受球面革１０、背面革９および裏革１２０の厚みが均一とされた従来の捕球具の重心よりも、回転軸線Ｏ１側に近接している。これにより、捕球具１Ｂの回転軸線Ｏ１回りの慣性モーメントＭは、親指袋２および指袋１１の幅が均一とされると共に、受球面革１０、背面革９および裏革１２０の厚みが均一とされた従来の捕球具の慣性モーメントＭより小さく抑えられている。そして、捕球具１Ｂは、親指袋２および指袋１１等について軽量化が図られている。このため、捕球具１Ｂの質量Ｇは、従来の捕球具の質量Ｇより小さいものとなっている。
【０１５０】
このため、図２１において、親指袋２および指袋１１の幅が均一とされると共に、受球面革１０、背面革９および裏革１２０の厚みが均一とされた従来の捕球具が点Ｐ１に位置する場合には、捕球具１Ｂは、例えば、点Ｐ２に位置するようになる。従って、本実施例２に係る捕球具１Ｂも、上記実施例１に係る捕球具１Ａと同様の作用・効果を得ることができ、操作性に優れたものとなっている。
【０１５１】
なお、本実施例２においては、受球面革１０および背面革９の厚みを親指袋２、指袋１１およびウエブ部３の先端部に向かうに従って、薄く形成する設計手法と、親指袋２および指袋１１等の幅を先端部側程狭くする設計手法と、裏革１２０の厚みを先端部側程うすくする設計手法とを組み合わせたものとなっているが、組合せとしては、これに限られない。
【０１５２】
すなわち、親指袋２と、指袋１１と、親指部１２０Ａと、人差指部１２０Ｂと、中指部１２０Ｃと、薬指部１２０Ｄと、小指部１２０Ｅとの幅を先端部に向かうに従って、漸次狭くする設計手法と、他の実施例に係る設計手法とを組み合わせてもよい。また、裏革１２０の厚みを先端部側程うすくする設計手法も、他の実施例に示される設計手法と組み合わせてもよい。
【実施例３】
【０１５３】
図２４を用いて、本実施例３に係る捕球具１Ｃについて、説明する。図２４は、本実施例３に係る捕球具１Ｃの背面図である。この捕球具１Ｃにおいて、受球面革および背面革９を備えた表面革１６の厚さは、開口部８側から、親指袋２、指袋１１およびウエブ部３の先端部側に向かうに従って、漸次薄くなるように形成されている。そして、この図２４に示されるように、捕球具１Ｃは、使用者の手首が挿入される開口部８と、親指袋２と、背面側に配置され、開口部８の一部を規定するベロ部８３と、このベロ部８３より指袋１１側に形成された手口窓部８４とを備えている。また、開口部８の内表面には、使用者の手首の周囲を保護するムートン等からなるボア８３ａが設けられている。
【０１５４】
そして、ボア８３ａと、開口部８の内表面との間には、ゴムや天然樹脂、合成樹脂が挿入されており、ベロ部８３は、２枚以上の複数枚の皮革により構成されている。
【０１５５】
このように、捕球具１Ｃのベロ部８３は、ベロ部が１枚の皮革により構成された従来の捕球具のベロ部よりも、質量が追加されている。これにより、捕球具１Ｃの質量Ｇは、ベロ部が１枚の皮革により構成された従来の捕球具の質量Ｇよりも重くなっている。
【０１５６】
その一方で、ベロ部８３は、回転軸線Ｏ１に近接した位置に配置されているため、ベロ部８３の質量が増加することによる慣性モーメントＭの変動量は、小さく抑えられている。そして、捕球具１Ｃは、受球面革および背面革９を備えた表面革１６の厚さは、親指袋２、指袋１１およびウエブ部３の先端部に向かうに従って、薄く形成されている。このため、捕球具１Ｃの慣性モーメントＭは、受球面革および背面革９の厚みが均一に形成されると共に、ウエブ部３が１枚の皮革により構成された従来の捕球具の慣性モーメントＭより低減されている。このため、図２１において、ベロ部が１枚の皮革により構成された従来の捕球具が、点Ｐ１に位置するとすると、捕球具１Ｃは、例えば、点Ｐ４に位置することになる。
【０１５７】
このため、捕球具１Ｃの質量Ｇは、点Ｐ５における従来の捕球具の質量Ｇと略同じである一方で、捕球具１Ｃの慣性モーメントＭは、点Ｐ５における捕球具の慣性モーメントＭより小さいものとなっている。このように、捕球具１Ｃによれば、従来の同じ質量Ｇの捕球具よりも慣性モーメントＭが小さく、優れた操作性を得ることができる。
【０１５８】
なお、本実施例３においては、受球面革および背面革９の厚みを親指袋２、指袋１１およびウエブ部３の先端部に向かうに従って、薄く形成する設計手法と、ボア８３ａと、開口部８の内表面との間にゴムや天然樹脂、合成樹脂を挿入すると共に、ベロ部８３は、２枚以上の複数枚の皮革により構成する設計手法との組合せとされているが、これに限られない。すなわち、ボア８３ａと、開口部８の内表面との間にゴムや天然樹脂、合成樹脂を挿入すると共に、ベロ部８３は、２枚以上の複数枚の皮革により構成する設計手法と、他の実施例に示された設計手法とを組み合わせてもよい。
【実施例４】
【０１５９】
図２５から図２８を用いて、本実施例４に係る捕球具について説明する。本実施例４に係る捕球具は、受球面革および背面革の厚さが、親指袋、指袋およびウエブ部の先端部に向かうに従って、薄くなるように形成されている。そして、図２５は、本実施例に係る捕球具の内部に配置された裏革１３０の正面図である。この図２５に示されるように、裏革１３０は、手甲革と手掌革とから構成されており、親指部１３０Ａの手掌革側の表面に設けられた親指用芯材４２と、人差指部１３０Ｂの手掌革側の表面に配置された人差指用芯材４３と、中指部１３０Ｃの手掌革側の表面に設けられた中指用芯材４４と、薬指部１３０Ｄの手掌革側の表面に設けられた薬指用芯材４５と、小指部１３０Ｅの手掌革側の表面に設けられた小指用芯材４６とを備えている。親指用芯材４２および小指用芯材４６は、プラスチック部材と、このプラスチック部材を挟み込むフェルトとを備えており複数層構造とされている。そして、人差指用芯材４３と、中指用芯材４４と、薬指用芯材４５とは、フェルトを圧縮した板部材を備えており、単層構造とされている。
【０１６０】
図２６は、人差指用芯材４３の平面図である。この図２６および図２５において、人差指用芯材４３には、複数の穴部４３ａが形成されている。そして、穴部４３ａは、人差指部４３の付根部側から先端部に向かうに従って、漸次個数が増加するように設けられている。このため、人差指用芯材４３の質量は、付根部側に分布しており、先端部に向かうに従って、軽量となるように形成されている。
【０１６１】
なお、図２６に示した例においては、人差指用芯材４３に穴部４３ａを形成することにより、付根部に質量を分布させているがこれに限られない。図２７は、人差指用芯材４３の他の例を示す平面図である。この図２７に示されるように、人差指用芯材４３の幅を、図２５に示す人差指部１３０Ｂの付根部側から先端部に向けて、漸次細くするように形成してもよい。このように、人差指用芯材４３を形成した場合においても、人差指用芯材４３の付根部側に質量が分布することになる。
【０１６２】
図２８は、人差指用芯材４３のさらに他の例を示す側面図である。この図２８に示されるように、人差指用芯材４３は、長さの異なる板状部材４３ａ〜４３ｄを積層することにより構成されている。板状部材４３ａは、図２５に示す人差指部１３０Ｂの表面に配置され、板状部材４３ｂ〜４３ｄは、この板状部材４３ａの上面側に順次積層されている。
【０１６３】
そして、付根部側から先端部側に向かう方向の板状部材４３ａ〜４３ｄの長さは、板状部材４３ａ、板状部材４３ｂ、板状部材４３ｃ、板状部材４３ｄの順に短く設定されている。さらに、図２４および図２８において、人差指部１３０Ｂの付根部側では、板状部材４３ａ〜４３ｄの端部は一致している。このため、人差指用芯材４３は、図２５において、人差指部１３０Ｂの付根部側から先端部に向かうに従って、段階的に薄く形成されている。このように、構成された人差指用芯材４３においても、人差指部１３０Ｂの付根部側に質量が分布している。なお、図２８に示した例においては、人差指芯材４３の厚さを段階的に変化させることとしているが、滑らかに変化させてもよい。
【０１６４】
そして、親指用芯材４２と、中指用芯材４４と、薬指用芯材４５と、小指用芯材４６とは、上記人差指用芯材４３と同様に構成されており、親指部１３０Ａ、中指部１３０Ｃと、薬指部１３０Ｄと、小指部１３０Ｅの付根部側に質量が分布している。
【０１６５】
このように構成された裏革１３０は、親指部１３０Ａ、人差指部１３０Ｂ、中指部１３０Ｃ、薬指部１３０Ｄ、小指部１３０Ｅの付根部側に質量が分布されており、先端部側は、軽量化されている。このため、裏革１３０を備えた捕球具では、親指袋および指袋の付根部側に質量が分布することになる。そして、図２６に示されるように、人差指用芯材４３を形成すると共に、親指用芯材４２、中指用芯材４４、薬指用芯材４５、小指用芯材４６も同様に構成した場合には、従来のように穴部が形成されていない芯材よりも総質量が軽量化されている。また、図２７および図２８に示されるように、人差指用芯材４３を形成すると共に、親指用芯材４２、中指用芯材４４、薬指用芯材４５、小指用芯材４６も同様に構成した場合には、幅または厚みを一定とした従来の芯材よりも総質量が軽量化されている。
【０１６６】
このように構成された裏革１３０を備えた捕球具の重心位置は、芯材の質量分布が均一とされた従来の捕球具の重心位置よりも、図２４等に示される回転軸線Ｏ１の近傍に位置している。このため、図２５に示す裏革１３０を備えた捕球具の慣性モーメントＭは、芯材の質量分布が均一とされた従来の捕球具の慣性モーメントＭより低減されている。
【０１６７】
さらに、本実施例４に係る捕球具も、受球面革および背面革の厚みが、先端部に向かうに従って、薄く形成されているため、本実施例４に係る捕球具は、従来の捕球具よりもさらに、慣性モーメントＭが低減されている。すなわち、図２１において、例えば、質量分布が先端部側から付根部側に亘って均一とされた芯材を備えた従来の捕球具が、点Ｐ１に位置するとすると、本実施例４に係る捕球具は、例えば点Ｐ２に位置することになる。
【０１６８】
このため、本実施例４に係る捕球具によれば、上記実施例１および実施例２と同様に、例えば、点Ｐ３のように質量Ｇが同じ捕球具よりも慣性モーメントＭを低減することができ、優れた操作性を得ることができる。
【０１６９】
なお、本実施例４に係る捕球具は、受球面革および背面革の厚みを親指袋、指袋およびウエブ部の先端部に向かうに従って、薄く形成する設計手法と、人差指用芯材４３と、親指用芯材４２と、中指用芯材４４と、薬指用芯材４５と、小指用芯材４６との先端部を軽量化する設計手法とを組み合わせたものとなっているが、この組合せに限られない。
【０１７０】
すなわち、人差指用芯材４３と、親指用芯材４２、中指用芯材４４、薬指用芯材４５、小指用芯材４６との先端部を軽量化する設計手法と、他の実施例に係る設計手法とを組み合わせてもよい。
【実施例５】
【０１７１】
図２９を用いて、本実施例５に係る捕球具１Ｄの説明を行なう。図２９は、本実施例５に係る捕球具１Ｄの正面図である。この図２９において、捕球具１Ｄの受球面革１０および背面革９の厚みは、親指袋２、指袋１１およびウエブ部３の先端部側に向かうに従って、薄くなるように形成されている。そして、捕球具１Ｄは、土手部１７の表面を覆うように、配置された滑り止め部材１７ａを備えている。この滑り止め部材１７ａは、受球面革１０のうち、開口部８の縁部からポケット部９０の近傍に亘って配置されており、また、開口部８の縁部を通って、親指袋２の付根部から小指袋７の付根部に亘って配置されている。この滑り止め部材１７ａは、樹脂材料から構成されており、例えば、ＰＵ系接着剤やＣＲ系接着剤により、受球面革１０に接着されている。
【０１７２】
このように、滑り止め部材１７ａは、回転軸線Ｏ１の近傍に配置されているため、滑り止め部材１７ａによる慣性モーメントＭの変動量は、小さく抑えられている。その一方で、捕球具１Ｄの質量Ｇは、滑り止め部材１７ａを備えていない従来の捕球具の質量Ｇよりも、大きくなっている。
【０１７３】
そして、この捕球具１Ｄにおいて、捕球具１Ｄの受球面革１０および背面革９の厚みは、親指袋２、指袋１１およびウエブ部３の先端部側に向かうに従って、薄くなるように形成されている。このため、捕球具１Ｄの慣性モーメントＭは、従来の捕球具の慣性モーメントＭより小さく低減されている。このため、図２１において、滑り止め部材１７ａを備えていない従来の捕球具は、例えば、点Ｐ１に位置しており、捕球具１Ｄは、例えば、点Ｐ４に位置することになる。
【０１７４】
ここで、捕球具１Ｄの質量Ｇと同じ質量Ｇの点Ｐ５の捕球具と、捕球具１Ｄとを比較すると、慣性モーメントＭは、捕球具１Ｄの方が低減されている。すなわち、捕球具１Ｄによれば、同じ質量Ｇの従来の捕球具よりも慣性モーメントＭが低減されているため、優れた操作性を得ることができる。また、捕球具１Ｄは、土手部１７に滑り止め部材１７ａを備えているため、ボールを捕球具１Ｄ内に維持し易く、捕球能力が向上されている。
【０１７５】
なお、本実施例５に係る捕球具１Ｄは、受球面革１０および背面革９の厚みを、親指袋２、指袋１１およびウエブ部３の先端部側に向かうに従って、薄くなるように形成する設計手法と、土手部１７に滑り止め部材１７ａを設ける手法とからなるが、これらの組合せにかぎられない。すなわち、土手部１７に滑り止め部材１７ａを設ける手法と、他の実施例に係る設計手法とを組み合わせてもよい。
【実施例６】
【０１７６】
図３０を用いて、本実施例６に係る捕球具１Ｅについて、説明する。図３０は、実施例６に係る捕球具１Ｅの背面図である。この図３０において、捕球具１Ｅの受球面革および背面革９を備えた表面革１６の厚さは、親指袋２、指袋１１およびウエブ部３の先端部側に向かうに従って、薄くなるように形成されている。そして、捕球具１Ｅは、革紐により構成されたウエブ部３Ａを備える。ウエブ部３Ａは、親指袋２の先端部と人差指袋４の先端部とを締結する革紐３ａと、ベルト３ｂと、このベルト３ｂと親指袋２とを締結する革紐３ｃと、ベルト３ｂと人差指袋４とを締結する革紐３ｄとを備えている。ベルト３ｂは、ウエブ部３の中央部に配置されており、先端部側から付根部側に亘って延在している。
【０１７７】
また、このベルト３ｂの幅は、親指袋２と、人差指袋４との間の距離の例えば、三分の一以下とされている。
【０１７８】
ここで、図３０に示されたベルト３ｂの幅は、図６に示す一般的な従来の捕球具のウエブ部３において、図３０に示すベルト３ｂに対応するベルトの幅より狭く形成されている。また、図３０において、親指袋２と人差指袋４との間を連結する革紐３ｃ、３ｄは、図６において、親指袋２と人差指袋４とを連結するベルトよりも軽量化されている。このため、図３０に示す捕球具１Ｅのウエブ部３Ａの質量は、図６に示す従来の捕球具のウエブ部３の質量よりも小さいものなっている。そして、ウエブ部３Ａは、回転軸線Ｏ１から離れているため、ウエブ部３Ａの軽量化により、捕球具１Ｅの慣性モーメントＭは、例えば、図６に示す従来の捕球具の慣性モーメントＭより低減される。
【０１７９】
また、ウエブ部３Ａの軽量化により、捕球具１Ｅの質量Ｇは、例えば、図６に示すような従来の捕球具１の質量Ｇよりも軽量なものとなっている。さらに、捕球具１Ｅの受球面革および背面革９を備えた表面革１６の厚さは、親指袋２、指袋１１およびウエブ部３の先端部側に向かうに従って、薄くなるように形成されている。このため、捕球具１Ｅの慣性モーメントＭは、従来の捕球具の慣性モーメントＭよりさらに低減されている。
【０１８０】
このため、図２１において、例えば、図６に示されるような従来の捕球具１が、例えば、点Ｐ１に位置すると、捕球具１Ｅは、例えば、点Ｐ２に位置することになる。
【０１８１】
そして、点Ｐ３の捕球具の質量Ｇは、捕球具１Ｅの質量Ｇと同じ従来の捕球具である。ここで、捕球具１Ｅと、点Ｐ３に示された従来の捕球具とを比較すると、捕球具１Ｅの慣性モーメントＭは、点Ｐ３に示された従来の捕球具より慣性モーメントＭが低減されていることが分かる。すなわち、本実施例６に係る捕球具１Ｅによれば、質量Ｇが同じまたは近似する従来の捕球具よりも、優れた操作性を得ることができる。
【０１８２】
なお、本実施例６に係る捕球具１Ｅは、ウエブ部３Ａの質量を軽量化する設計手法と、受球面革および背面革９を備えた表面革１６の厚みを親指袋２、指袋１１およびウエブ部３の先端部側に向かうに従って、薄くなるようにする設計手法との組合せにあたるが、この組合せに限られない。
【０１８３】
すなわち、ウエブ部３Ａの質量を軽量化する設計手法と、他の実施例に係る設計手法とを組み合わせてもよい。
【実施例７】
【０１８４】
図３１を用いて、実施例７に係る捕球具１Ｆについて説明する。図３１は、実施例７に係る捕球具１Ｆの背面図である。この図３１において、受球面革および背面革９を備えた表面革１６の厚さは、親指袋２、指袋１１およびウエブ部３の先端部側に向かうに従って、薄くなるように形成されている。そして、捕球具１Ｆは、ベロ部８３の下面側に配置され、親指袋２の付根部から小指袋７の付根部にまで亘って配置された連結部材１２ａを備えている。この連結部材１２ａは、親指袋２の付根部と小指袋７の付根部とを連結しており、ゴムや、天然樹脂、合成樹脂等から構成されている。
【０１８５】
この連結部材１２ａは、好ましくは、予め、使用者の親指から小指までの形状に沿うように形成されているのが好ましい。このように、捕球具１Ｆは連結部材１２ａを備えているため、捕球具１Ｆの質量Ｇは、図６に示されるような従来の捕球具１の質量Ｇよりも大きくなっている。その一方で、連結部材１２ａは、開口部８の近傍に配置されており、回転軸線Ｏ１に近接した位置に配置されている。このため、連結部材１２ａによる慣性モーメントＭの変動量は、小さく抑えられている。その一方で、受球面革および背面革９を備えた表面革１６の厚さは、親指袋２、指袋１１およびウエブ部３の先端部側に向かうに従って、薄くなるように形成されている。このため、捕球具１Ｆの慣性モーメントＭは、従来の捕球具の慣性モーメントＭより、低減されている。
【０１８６】
これにより、図２１において、図６に示された従来の捕球具１が、例えば、点Ｐ１に位置するとすると、捕球具１Ｆは、例えば、点Ｐ４に位置することになる。ここで、捕球具１Ｆの質量Ｇは、点Ｐ５の捕球具と略同じである一方で、捕球具１Ｆの慣性モーメントＭは、点Ｐ５の捕球具より低減されていることが分かる。
【０１８７】
なお、本実施例７に係る捕球具１Ｆは、受球面革および背面革９を備えた表面革１６の厚みを親指袋２、指袋１１およびウエブ部３の先端部側に向かうに従って薄く形成する設計手法と、連結部材１２ａは、開口部８の近傍に配置する設計手法との組合せであるが、これに限られない。すなわち、連結部材１２ａは、開口部８の近傍に配置する手法と、他の実施例に示された設計手法との組合せでもよい。
【実施例８】
【０１８８】
図３２を用いて、本実施例８に係る捕球具１Ｇについて説明する。図３２は、本実施例８に係る捕球具１Ｇの背面図である。図３２において、捕球具１Ｇは、受球面革と、背面革９とを備えており、親指袋２と、指袋１１とを備えている。この受球面革および背面革９を備えた表面革１６の厚さは、親指袋２、指袋１１およびウエブ部３の先端部側に向かうに従って厚く形成されている。
【０１８９】
そして、背面革９のうち、指袋１１の背面側であって、指袋１１の中央部から付根部までの部分は、メッシュ状の軽量部材４ａ〜７ａを備えている。この軽量部材４ａ〜７ａは、メッシュ材料に限られず、ポリエステル系繊維、ナイロンメッシュ、ラッセルメッシュ、超高強力ポリエチレン繊維等から構成されている。また、軽量部材４ａ〜７ａは、これら材料の混合材料であってもよい。すなわち、受球面革等を構成する皮革より軽量な材料により構成されている。
【０１９０】
このため、捕球具１Ｇの質量Ｇは、図６に示すような従来の捕球具１の質量Ｇより軽量なものとされている。そして、捕球具１Ｇにおいては、回転軸線Ｏ１に比較的近接している指袋１１の中央部から付根部に亘って軽量化が図られている。このため、指袋１１の一部を軽量部材４ａ〜７ａにより構成することによる慣性モーメントＭの変動量は、小さく抑えられている。その一方で、受球面革および背面革９を備えた表面革１６の厚さは、親指袋２、指袋１１およびウエブ部３の先端部側に向かうに従って厚く形成されているため、捕球具１Ｇの慣性モーメントＭは、従来の捕球具の慣性モーメントＭより大きいものとなっている。
【０１９１】
従って、図２１において、図６に示す従来の捕球具１が、例えば、点Ｐ１に位置するとすると、捕球具１Ｇは、例えば、点Ｐ６に位置する。ここで、点Ｐ７の捕球具の質量Ｇは、捕球具１Ｆの質量Ｇと略近似したものとなっている。そして、捕球具１Ｇの慣性モーメントＭは、点Ｐ７の捕球具の慣性モーメントＭよりも大きいものとなっていることが分かる。すなわち、捕球具１Ｇによれば、捕球具１Ｇの質量Ｇと同一または近似する従来の捕球具よりも、慣性モーメントＭが大きく、優れた安定性を得ることができる。
【０１９２】
なお、本実施例８に係る捕球具１Ｇは、指袋１１の背面側であって、指袋１１の中央部から付根部までの部分をメッシュ状の軽量部材４ａ〜７ａで形成する設計手法と、受球面革および背面革９を備えた表面革１６の厚みを親指袋２、指袋１１およびウエブ部３の先端部側に向かうに従って厚く形成する設計手法とを組合せにあたるが、この組み合わせてかぎられない。
【０１９３】
すなわち、指袋１１の背面側であって、指袋１１の中央部から付根部までの部分をメッシュ状の軽量部材４ａ〜７ａで形成する設計手法と、後述する他の実施例に係る設計手法とを組み合わせてもよい。また、受球面革および背面革９を備えた表面革１６の厚みを親指袋２、指袋１１およびウエブ部３の先端部側に向かうに従って厚く形成する設計手法と、後述する他の実施例に係る設計手法とを組み合わせてもよい。
【実施例９】
【０１９４】
図３３を用いて、本実施例９に係る捕球具１Ｈについて説明する。図３３は、本実施例９に係る捕球具１Ｈの背面図である。この図３３に示されるように、捕球具１Ｈは、複数の皮革により構成されたウエブ部３Ｂを備えている。この図３３において、受球面革および背面革９を備えた表面革１６の厚さは、親指袋２、指袋１１およびウエブ部３Ｂの先端部側に向かうに従って厚く形成されている。そして、図６に示すような従来の捕球具１のウエブ部３Ｂは、一般に１枚の皮革により構成されているため、図３３に示す捕球具１Ｈのウエブ部３Ｂの質量は、従来のウエブ部３の質量よりも重く形成されている。
【０１９５】
なお、捕球具１Ｈは、ウエブ部３Ｂを複数の皮革により構成することとしているが、これに限られない。例えば、ウエブ部３Ｂを構成する皮革の先端部の厚みを厚く形成することにより、図６に示す従来の捕球具１のウエブ部３の質量より重く形成してもよい。これにより、捕球具１Ｈの質量Ｇは、図６に示すような、ウエブ部３が１枚の皮革により構成された捕球具の質量Ｇよりも重くなっている。
【０１９６】
そして、ウエブ部３Ｂは、回転軸線Ｏ１から離れた位置に配置されている。このため、ウエブ部３Ｂによる慣性モーメントＭへの影響は大きく、捕球具１Ｈの慣性モーメントＭは、図６に示すような従来の捕球具より慣性モーメントＭが大きいものとなっている。
【０１９７】
さらに、受球面革および背面革９を備えた表面革１６の厚みを親指袋２、指袋１１およびウエブ部３の先端部側に向かうに従って厚く形成しているため、捕球具１Ｈの慣性モーメントＭは、さらに大きいものとなっている。
【０１９８】
これにより、図２１において、図６に示す従来の捕球具１が点Ｐ１とすると、図３３に示される捕球具１Ｈは、例えば、点Ｐ８に位置することになる。ここで、点Ｐ９の捕球具の質量Ｇは、捕球具１Ｈの質量Ｇと同じまたは近似するものとなっている。そして、捕球具１Ｈの慣性モーメントＭは、点Ｐ９の捕球具よりも慣性モーメントＭが大きいことが分かる。すなわち、捕球具１Ｈによれば、捕球具１Ｈと同じまたは近似する質量Ｇの従来の捕球具よりも優れた安定性を得ることができる。
【０１９９】
なお、本実施例９に係る捕球具１Ｈは、ウエブ部３Ｂの質量を増加させる設計手法と、受球面革および背面革９を備えた表面革１６の厚みを親指袋２、指袋１１およびウエブ部３の先端部側に向かうに従って厚く形成する設計手法との組合せであるが、これに限られない。すなわち、ウエブ部３Ｂの質量を増加させる設計手法と、他の実施例に示された設計手法とを組み合わせてもよい。
【実施例１０】
【０２００】
図３４を用いて、本実施例１０に係る捕球具を説明する。本実施例１０に係る捕球具は、受球面革および背面革の厚みを親指袋、指袋およびウエブ部の先端部側に向かうに従って厚く形成している。そして、図３４は、本実施例１０に係る捕球具内に設けられた裏革１４０の正面図である。この図３４に示されるように、裏革１４０は、厚さが均一に形成された手掌革および手甲革から構成されている。そして、この裏革１４０は、親指部１４０Ａの手掌革側に設けられた親指用芯材１５２と、人差指部１４０Ｂの手掌革側に設けられた人差指用芯材１５３と、中指部１４０Ｃの手掌革側に設けられた中指用芯材１５４と、薬指部１４０Ｄの手掌革側に設けられた薬指用芯材１５５と、小指部１４０Ｅの手掌部側に設けられた小指用芯材１５６とを備えている。
【０２０１】
図３５は、人差指用芯材１５３の平面図である。この図３５に示されるように、人差指用芯材１５３には、複数の穴部１５３ａが形成されている。そして、図３４および図３５に示されるように、穴部１５３ａは、人差指部１４０Ｂの付根部側程、密集して形成されている。このため、人差指用芯材１５３は、人差指部１４０Ｂの付根部側程、軽量化されており、先端部側程、質量が分布するように構成されている。
【０２０２】
なお、人差指用芯材１５３は、上記の構成に限られず、図３６に示すような構成でもよい。図３６は、人差指用芯材１５３の他の例を示す平面図である。この図３６および図３４に示されるように、人差指用芯材１５３の幅は、人差指部１４０Ｂの付根部側ほど、狭く形成されており、人差指部１４０Ｂの先端部側ほど、広く形成されている。このように構成された人差指用芯材１５３も、人差指部１４０Ｂの付根部側ほど、軽量化されており、先端部側ほど、質量が分布するように構成されている。さらに、人差指用芯材１５３は、図３７に示すように構成してもよい。図３７は、人差指用芯材１５３のさらに他の例を示す側面図である。この図３７に示されるように、人差指用芯材１５３は、複数の板状部材１５３ａ〜１５３ｄにより構成してもよい。
【０２０３】
板状部材１５３ａは、図３４において、人差指部１４０Ｂの表面に配置され、板状部材１５３ａの上面側には、板状部材１５３ｂ〜板状部材１５３ｄが順に積層されている。また、付根部から先端部に向かう方向の板状部材１５３ａ〜１５３ｄの長さは、板状部材１５３ａ、板状部材１５３ｂ、板状部材１５３ｃ、板状部材１５３ｄの順で段階的に短くなるように形成されている。このように構成された板状部材１５３ａ〜１５３ｄの人差指部１４０Ｂの先端部の端部は、一致させられているため、図３４および図３７に示すように、人差指部１４０Ｂの先端部側程、厚肉に形成されており、付根部側に向かうに従って、段階的に、薄肉に形成されている。このため、図３７に示されるように構成された人差指用芯材１５３も、人差指部１４０Ｂの先端部側程、質量が分布するように構成されている。
【０２０４】
そして、親指用芯材１５２と、中指用芯材１５４と、薬指用芯材１５５と、小指用芯材１５６とは、いずれも、人差指用芯材１５３と同様の構成とされている。このため、図３５から図３７に示すような芯材の質量は、先端部側から付根部側に亘って、質量分布が均一とされた従来の芯材の質量よりも軽量なものとなっている。
【０２０５】
このように構成された芯材を備えた裏革１４０は、親指部１４０Ａ、人差指部１４０Ｂ、中指部１４０Ｃ、薬指部１４０Ｄ、小指部１４０Ｅを備える指部の各先端部側程、質量が分布するように形成されている。
【０２０６】
このため、このような裏革１４０を備えた捕球具の慣性モーメントＭは、先端部から付根部に亘って、質量分布が均一とされた芯材を備える従来の捕球具の慣性モーメントＭよりも大きいものとなっている。さらに、受球面革および背面革の厚みを親指袋２、指袋１１およびウエブ部３の先端部側に向かうに従って厚く形成しているため、慣性モーメントＭはさらに大きくされている。その一方で、本実施例１０に係る捕球具の質量Ｇは、質量分布が均一とされた芯材を備える従来の捕球具の質量Ｇよりも軽量なものとなっている。
【０２０７】
従って、質量分布が先端部側から付根部側に亘って、均一なものとされた芯材を備えた従来の捕球具が、点Ｐ１に位置するとすると、本実施例１０に係る捕球具は、例えば、点Ｐ６に位置することになる。
【０２０８】
ここで、点Ｐ７に位置する従来の捕球具は、本実施例１０に係る捕球具と同一または近似する質量Ｇを有している。その一方で、本実施例１０に係る捕球具は、点Ｐ７の従来の捕球具よりも、慣性モーメントＭが大きいものとなっている。
【０２０９】
すなわち、本実施例１０に係る捕球具によれば、同一または近似する質量Ｇを有する従来の捕球具よりも、優れた安定性を得ることができる。
【０２１０】
なお、本実施例１０に係る捕球具は、受球面革および背面革９の厚みを親指袋２、指袋１１およびウエブ部３の先端部側に向かうに従って厚く形成する設計手法と、裏革１４０を指部の各先端部側程、質量が分布するように形成する設計手法との組合せであるが、この組合せに限られない。すなわち、裏革１４０を指部の各先端部側程、質量が分布するように形成する設計手法と、他の実施例に示された設計手法とを組み合わせてもよい。
【実施例１１】
【０２１１】
図３８を用いて、本実施例１１に係る捕球具１Ｉについて説明する。図３８は、実施例１１に係る捕球具１Ｉの正面図である。この図３８において、受球面革１０および背面革９を備えた表面革１６の厚さは、親指袋２、指袋１１およびウエブ部３の先端部側に向かうに従って厚く形成されている。そして、捕球具１Ｉの親指袋２の先端部に設けられた親指用滑り止め部２ｃと、ウエブ部３の先端部に亘って設けられたウエブ部用滑り止め部３ｃと、人差指袋４の先端部に設けられた人差指用滑り止め部４ｃと、中指袋５の先端部に設けられた中指用滑り止め部５ｃと、薬指袋６の先端部に設けられた薬指用滑り止め部６ｃと、小指袋７の先端部に設けられた小指用滑り止め部７ｃとを備えている。これら、親指用滑り止め部２ｃ、ウエブ用滑り止め部３ｃ、人差指用滑り止め部４ｃと、中指用滑り止め部５ｃと、薬指用滑り止め部６ｃと、小指用滑り止め部７ｃは、いずれも、樹脂材料により構成されており、ＰＵ系接着剤やＣＲ系接着剤により、接着されている。
【０２１２】
このように、捕球具１Ｉは、親指袋１、ウエブ部２および指袋１１の先端部側に滑り止め部が設けられているため、図６に示されるような、滑り止め部が設けられていない従来の捕球具よりも、慣性モーメントＭが大きくなっている。さらに、受球面革１０および背面革９の厚みを親指袋２、指袋１１およびウエブ部３の先端部側に向かうに従って厚く形成しているため、慣性モーメントＭは、さらに大きくされている。そして、捕球具１Ｉの質量Ｇは、図６に示されるような従来の捕球具の質量Ｇよりも大きいものとなっている。
【０２１３】
このため、図２１において、図６に示される従来の捕球具１が、点Ｐ１に位置する場合には、捕球具１Ｉは、例えば、点Ｐ８に位置する。ここで、点Ｐ９の従来の捕球具の質量Ｇは、図３８に示す捕球具１Ｉの質量Ｇと同じまたは近似するものとなっている。その一方で、捕球具１Ｉの慣性モーメントＭは、点Ｐ９の従来の捕球具の慣性モーメントＭより大きいことが分かる。従って、捕球具１Ｉによれば、質量Ｇが同じまたは近似する従来の捕球具よりも、優れた安定性を得ることができる。
【０２１４】
なお、本実施例１１に係る捕球具は、受球面革１０および背面革９を備えた表面革１６の厚みを親指袋２、指袋１１およびウエブ部３の先端部側に向かうに従って厚く形成する設計手法と、親指用滑り止め部２ｃ、ウエブ用滑り止め部３ｃ、人差指用滑り止め部４ｃと、中指用滑り止め部５ｃと、薬指用滑り止め部６ｃと、小指用滑り止め部７ｃとを設ける設計手法との組合せであるが、この組合せに限られない。すなわち、親指用滑り止め部２ｃ、ウエブ用滑り止め部３ｃ、人差指用滑り止め部４ｃと、中指用滑り止め部５ｃと、薬指用滑り止め部６ｃと、小指用滑り止め部７ｃを設ける設計手法と、他の実施例に示された設計手法とを組み合わせてもよい。
【実施例１２】
【０２１５】
図３９および図４０を用いて、本実施例１２に係る捕球具１Ｊについて説明する。
図３９は、本実施例１２に係る捕球具１Ｊの正面図である。図４０は、図３９に示された捕球具１Ｊ内に配置された裏革１２０Ｊの背面図である。この図３９において、受球面革１０および背面革９は、親指袋１、ウエブ部２および指袋１１側に向かうに従って、漸次厚くなるように形成されている。
【０２１６】
そして、図４０において、裏革１２０Ｊは、手掌革および手甲革を備えており、これら手掌革および手甲革は、親指部１２０Ａ、人差指部１２０Ｂ、中指部１２０Ｃ、薬指部１２０Ｄ、および小指部１２０Ｅ側に向かう従って、漸次厚肉に形成されている。
【０２１７】
このように構成された捕球具１Ｊは、表革１６および裏革の厚さが均一に形成された従来の捕球具よりも、親指袋２、ウエブ部３および指袋１１の先端部側程、質量が分布するように形成されている。このため、捕球具１Ｊの慣性モーメントＭは、図６に示すように表革１６および裏革１２０Ｊの厚さが均一に形成された従来の捕球具の慣性モーメントＭより大きくなっている。
【０２１８】
そして、捕球具１Ｊの親指部１２０Ａ、人差指部１２０Ｂ、中指部１２０Ｃ、薬指部１２０Ｄ、および小指部１２０Ｅ側の表革１６および裏革１２０Ｊの厚さは、図６に示すような、従来の捕球具の表革１６および裏革の厚さよりも厚く形成されているため、捕球具１Ｊの質量Ｇは、従来の捕球具の質量Ｇよりも大きくなっている。
【０２１９】
従って、図２１において、図６に示すように、表革１６および裏革の厚さが均一に形成された従来の捕球具が、点Ｐ１に位置する場合には、捕球具１Ｊは、点Ｐ８に位置することになる。
【０２２０】
すなわち、本実施例１２に係る捕球具１Ｊによれば、上記実施例１１に係る捕球具１Ｉと同様に、同一または近似する従来の捕球具よりも優れた安定性を得ることができる。
【実施例１３】
【０２２１】
本実施例１３について説明する。下記表９は、図６に示すような従来の捕球具１の質量Ｇなどを示したものであり、本実施例１３に係る捕球具は、下記従来の捕球具を基に作成したものである。
【０２２２】
【表９】
2006340786.tif 000011
【０２２３】
本実施例１３に係る捕球具は、図２０に示される捕球具１Ａと同様に、背面革９のうち、指袋１１の背面部１１ａを構成する部分が、軽量部材から構成されている。この軽量部材としては、メッシュの他にポリエステル系繊維、ナイロンメッシュ、ラッセルメッシュ、超高強力ポリエチレン繊維等が用いられる。
【０２２４】
このように、回転軸線Ｏ１から離れた親指袋２および指袋１１の先端部が、軽量化されているため、本実施例１３に係る捕球具の慣性モーメントＭは、親指袋および指袋の全面が皮革により構成された上記従来の捕球具の慣性モーメントＭより低減されている。これにより、表９に示された従来の捕球具よりも、５（ｇ・ｓ２・ｃｍ）程度の慣性モーメントＭが低減されている。
【０２２５】
そして、本実施例１３に係る捕球具は、図２０に示される捕球具１Ａと同様に、親指袋２および指袋１１を構成する表革１６の厚さが、先端部側に向かうに従って、漸次厚さが薄くなるように構成されている。このため、本実施例１３に係る捕球具の重心位置は、表革１６の厚みが均一に形成された従来の捕球具の重心位置よりも、回転軸線Ｏ１側に位置しており、慣性モーメントＭがさらに、１０（ｇ・ｓ２・ｃｍ）から１５（ｇ・ｓ２・ｃｍ）程度軽減されている。
【０２２６】
さらに、本実施例１３に係る捕球具においては、親指袋２および指袋１１のポケット部９０に沿う方向の幅は、先端部に向かうに従って、漸次狭くなるように形成されている。
【０２２７】
このため、本実施例１３に係る捕球具の重心は、親指袋２および指袋１１の幅が均一に形成された上記従来の捕球具の重心よりも、回転軸線Ｏ１側に位置しており、さらに、慣性モーメントＭが５（ｇ・ｓ２・ｃｍ）程度低減されている。
【０２２８】
また、本実施例１３に係る捕球具のウエブ部は、図３０に示す捕球具１Ｅと同様に、ウエブ部３Ａの中央部に先端部側から付根部側に亘って延在するベルト部３ｂと、親指袋２の先端部と人差指袋４の先端部を連結する革紐３ａと、ベルト部３ｂと親袋２と連結する革紐３ｃと、ベルト部３ｂと人差指袋４とを連結する革紐３ｄとを備えている。
【０２２９】
このため、本実施例１３に係る捕球具のウエブ部は、図６に示すような従来の捕球具１のウエブ部３よりも軽量化されており、本実施例１３に係る捕球具の慣性モーメントＭは、上記従来の捕球具１の慣性モーメントＭよりもさらに、１０（ｇ・ｓ２・ｃｍ）程度低減されている。
【０２３０】
そして、本実施例１３に係る捕球具のベロ部には、図３１に示す捕球具１Ｆと同様に、ベロ部８３の下面側に配置され、親指袋２の付根部から小指袋７の付根部にまで亘って配置された連結部材１２ａを備える。このため、本実施例１３に係る捕球具の質量Ｇは上記従来の捕球具よりも質量Ｇが大きいものとなっている。
【０２３１】
本実施例１３に係る捕球具の内部に設けられた裏革は、図２３に示す裏革１２０と同様に、指袋、ウエブ部または親指袋の先端部側に向かうに従って、漸次薄肉に形成されている。本実施例１３に係る捕球具の内部に設けられた裏革には、図２５に示す裏革１３０と同様に、付根部側に質量が分布された芯材が設けられている。このように構成された裏革を備えた本実施例１３に係る捕球具は、幅が均一に形成された芯材を備えた上記従来の捕球具よりも、開口部側に重心が位置しており、さらに、３（ｇ・ｓ２・ｃｍ）程度慣性モーメントＭが低減されている。
【０２３２】
本実施例１３に係る捕球具によれば慣性モーメントＭを、１４０（ｇ・ｓ２・ｃｍ）程度とすることができ、表９に示された従来の捕球具よりも３０（ｇ・ｓ２・ｃｍ）程度慣性モーメントＭを低減することができた。さらに、捕球具１Ｋの質量Ｇは、表９に示された従来の捕球具の質量Ｇと近似している。このため、本実施例１３に係る捕球具は、図１において、領域Ｒ１内に確実に位置することになる。
【実施例１４】
【０２３３】
本実施例１４に係る捕球具について説明する。本実施例１４に係る捕球具は、図３２に示す捕球具１Ｇと同様に、指袋１１の付根部側にメッシュ等で構成されたメッシュ状の軽量部材４ａ〜７ａを備えている。このため、捕球具１Ｌの質量Ｇは、表９に示された捕球具よりも軽減されている。その一方で、軽量部材４ａ〜７ａが配置された部分は、回転軸線Ｏ１に近接しているため、軽量部材４ａ〜７ａによる慣性モーメントＭへの影響は小さいものとなっている。
【０２３４】
また、本実施例１４に係る捕球具の表革は、図３２に示す捕球具１Ｇと同様に、親指袋２および指袋１１の先端部側に向かうに従って、漸次厚くなるように形成されている。このため、本実施例１４に係る捕球具の慣性モーメントＭは、表革１６の厚さが均一とされた図６および表９に示される従来の捕球具の慣性モーメントＭより、１０（ｇ・ｓ２・ｃｍ）〜１５（ｇ・ｓ２・ｃｍ）程度、上昇している。
【０２３５】
さらに、本実施例１４に係る捕球具の親指袋２および指袋１１のポケット部に沿う方向の幅は、付根部側から先端部に向かうに従って、漸次太くなるように構成されている。このため、本実施例１４に係る捕球具の慣性モーメントＭは、親指袋２および指袋１１の幅が均一に形成された、図６および表９に示される従来の捕球具の慣性モーメントＭよりも、５（ｇ・ｓ２・ｃｍ）程度高いものとなっている。
【０２３６】
そして、本実施例１４に係る捕球具のウエブ部３を複数の皮革により構成されている。このため、捕球具１Ｌの慣性モーメントＭは、ウエブ部３が１枚の皮革により構成された、図６および表９に示された従来の捕球具の慣性モーメントＭよりも、１０（ｇ・ｓ２・ｃｍ）程度高いものとなっている。
【０２３７】
本実施例１４に係る捕球具は、図３８に示される捕球具１Ｉと同様に、親指袋２の先端部に設けられた親指用滑り止め部２ｃと、ウエブ部３の先端部に設けられたウエブ部用滑り止め部３ｃと、人差指袋４の先端部に設けられた人差指用滑り止め部４ｃと、中指袋５の先端部に設けられた中指用滑り止め部５ｃと、薬指袋６の先端部に設けられた薬指用滑り止め部６ｃと、小指袋７の先端部に設けられた小指用滑り止め部７ｃとを備えている。
【０２３８】
このように、本実施例１４に係る捕球具は、先端部側に質量体としての滑り止め部を備えているため、表９および図６に示される従来の捕球具の慣性モーメントＭよりも、１０（ｇ・ｓ２・ｃｍ）程度高いものとなっている。
【０２３９】
そして、本実施例１４に係る捕球具のポケット部９０およびその周辺を構成する受球面革１０は、指袋１１および親指袋２を構成する受球面革１０の厚さより薄く形成されている。このため、捕球具１Ｌは、受球面革１０が薄くされた分だけ、受球面革１０の厚さが均一に形成された従来の捕球具より軽量なものとされている。
【０２４０】
本実施例１４に係る捕球具内に配置された裏革は、図３４に示された裏革１４０と同様に、付根部側に質量が分布された親指用芯材１５２と、人差指用芯材１５３と、中指用芯材１５４と薬指用芯材１５５と、小指用芯材１５６とを備えている。
【０２４１】
このため、捕球具１Ｌは、図６および表９に示されるような従来の捕球具よりも、慣性モーメントＭが３（ｇ・ｓ２・ｃｍ）程度低減されている。
【０２４２】
このように構成された本実施例１４に係る捕球具の慣性モーメントＭは、２１５（ｇ・ｓ２・ｃｍ）程度となり、表６に示す従来の捕球具より、４５（ｇ・ｓ２・ｃｍ）程度慣性モーメントＭが上昇している。その一方で、捕球具１Ｌの質量Ｇは、表９に示された従来の捕球具の質量Ｇと変わらないものとなっている。このため、本実施例１４に係る捕球具は、図１において、領域Ｒ１内に位置する。
【０２４３】
以上のように本発明の実施の形態および実施例について説明を行なったが、今回開示された実施の形態はすべての点で例示であって制限的なものではないと考えられるべきである。本発明の範囲は特許請求の範囲によって示され、特許請求の範囲と均等の意味および範囲内でのすべての変更が含まれることが意図される。
【産業上の利用可能性】
【０２４４】
本発明は、野球またはソフトボール用捕球具、野球またはソフトボール用内野手および外野手用捕球具およびこれらの設計方法に好適である。
【図面の簡単な説明】
【０２４５】
【図１】捕球具の慣性モーメントと、捕球具の質量とにより、操作性に優れた野球用の捕球具および安定性に優れた捕球具の範囲を示したグラフである。
【図２】捕球具の慣性モーメントを測定する測定器の斜視図である。
【図３】捕球具が装着されるグラブホルダを示す斜視図である
【図４】グラブホルダの正面図である。
【図５】グラブホルダの側面図である。
【図６】測定される従来の捕球具の一例を示す正面図である。
【図７】捕球具の背面図である。
【図８】捕球具にグラブホルダを挿入した際の側面図である。
【図９】開口姿勢が所定の姿勢とされた捕球具を示す斜視図である。
【図１０】使用者が捕球具を装着した状態で、捕球動作を行なう際の側面図である。
【図１１】人の手の骨格を示す平面図である。
【図１２】所定の姿勢とされた捕球具が装着されたグラブホルダを、測定器に装着したときの上面図である。
【図１３】捕球実験において、被験者が捕球具を装着した状態を示す側面図である。
【図１４】捕球実験において、捕球具にボールが当接する位置を示した捕球具の正面図である。
【図１５】操作性に優れた野球用の捕球具および、安定性に優れた捕球具を捕球具の慣性モーメントと、捕球具の質量とにより示したものである。
【図１６】内野手用の捕球具について、操作性に優れた捕球具と、安定性に優れた捕球具の範囲を、捕球具の慣性モーメントと、質量とから示したグラフである。
【図１７】操作性または安定性に優れた内野手用捕球具の領域を示している。
【図１８】外野手用捕球具について、操作性に優れた捕球具と、安定性に優れた外野手用捕球具の範囲を、外野手用捕球具の慣性モーメントと、質量とから示したグラフである。
【図１９】基準線の傾きおよび切片に１．１を乗したものを基準線とし、基準線の傾きおよび切片に０．９を乗したものを基準線としたグラフである。
【図２０】実施例１に係る捕球具の背面図である。
【図２１】捕球具の慣性モーメントと、総質量の慣性を示したグラフである。
【図２２】実施例２に係る捕球具の正面図である。
【図２３】捕球具内に配置された裏革の背面図である。
【図２４】実施例３に係る捕球具の背面図である。
【図２５】実施例４に係る捕球具の内部に配置された裏革の正面図である。
【図２６】人差指用芯材の平面図である。
【図２７】人差指用芯材の他の例を示す平面図である。
【図２８】人差指用芯材のさらに他の例を示す側面図である。
【図２９】実施例５に係る捕球具の正面図である。
【図３０】実施例６に係る捕球具の背面図である。
【図３１】実施例７に係る捕球具の背面図である。
【図３２】実施例８に係る捕球具の背面図である。
【図３３】実施例９に係る捕球具の背面図である。
【図３４】実施例１０に係る捕球具内に設けられた裏革の背面図である。
【図３５】人差指用芯材の平面図である。
【図３６】人差指用芯材の他の例を示す平面図である。
【図３７】人差指用芯材のさらに他の例を示す側面図である。
【図３８】実施例１１に係る捕球具の正面図である。
【図３９】実施例１２に係る捕球具の正面図である。
【図４０】図３９に示された捕球具内に配置された裏革の背面図である。
【符号の説明】
【０２４６】
１  捕球具、２  親指袋、３  ウエブ部、４  人差指袋、５  中指袋、６  小指袋、Ｌ１、Ｌ２  基準線。
【図１】
2006340786.tif 000012
【図２】
2006340786.tif 000013
【図３】
2006340786.tif 000014
【図４】
2006340786.tif 000015
【図５】
2006340786.tif 000016
【図６】
2006340786.tif 000017
【図７】
2006340786.tif 000018
【図８】
2006340786.tif 000019
【図９】
2006340786.tif 000020
【図１０】
2006340786.tif 000021
【図１１】
2006340786.tif 000022
【図１２】
2006340786.tif 000023
【図１３】
2006340786.tif 000024
【図１４】
2006340786.tif 000025
【図１５】
2006340786.tif 000026
【図１６】
2006340786.tif 000027
【図１７】
2006340786.tif 000028
【図１８】
2006340786.tif 000029
【図１９】
2006340786.tif 000030
【図２０】
2006340786.tif 000031
【図２１】
2006340786.tif 000032
【図２２】
2006340786.tif 000033
【図２３】
2006340786.tif 000034
【図２４】
2006340786.tif 000035
【図２５】
2006340786.tif 000036
【図２６】
2006340786.tif 000037
【図２７】
2006340786.tif 000038
【図２８】
2006340786.tif 000039
【図２９】
2006340786.tif 000040
【図３０】
2006340786.tif 000041
【図３１】
2006340786.tif 000042
【図３２】
2006340786.tif 000043
【図３３】
2006340786.tif 000044
【図３４】
2006340786.tif 000045
【図３５】
2006340786.tif 000046
【図３６】
2006340786.tif 000047
【図３７】
2006340786.tif 000048
【図３８】
2006340786.tif 000049
【図３９】
2006340786.tif 000050
【図４０】
2006340786.tif 000051